(57)【特許請求の範囲】
【請求項１】
紙葉類を搬送する搬送路と、
前記搬送路を搬送される紙葉類を識別する識別部と、
前記識別部による識別結果に基づいて前記搬送路から排出されたリジェクト紙葉類を集積するリジェクト部と、
前記リジェクト部に集積されたリジェクト紙葉類の枚数を確定できる場合と確定できない場合とで、前記リジェクト紙葉類に関する情報を異なる表示態様で表示する表示部と
を備え、
前記表示部は、枚数を確定できないリジェクト紙葉類が発生して前記リジェクト部に集積されたリジェクト紙葉類の枚数を確定できなくなった場合には、枚数を確定したリジェクト紙葉類の合計枚数の表示に代えて、枚数を確定したリジェクト紙葉類の合計枚数と枚数を確定できないリジェクト紙葉類の発生回数とを合算した値をリジェクト件数として表示する
ことを特徴とする紙葉類処理装置。
【請求項２】
紙葉類を搬送する搬送路と、
前記搬送路を搬送される紙葉類を識別する識別部と、
前記識別部による識別結果に基づいて前記搬送路から排出されたリジェクト紙葉類を集積するリジェクト部と、
前記リジェクト部に集積されたリジェクト紙葉類の枚数を確定できる場合と確定できない場合とで、前記リジェクト紙葉類に関する情報を異なる表示態様で表示する表示部と
を備え、
前記表示部は、枚数を確定できないリジェクト紙葉類が発生して前記リジェクト部に集積されたリジェクト紙葉類の枚数を確定できなくなった場合には、枚数を確定したリジェクト紙葉類の合計枚数の表示に加えて、枚数を確定できないリジェクト紙葉類の発生回数をリジェクト件数として表示する
ことを特徴とする紙葉類処理装置。
【請求項３】
枚数を確定できないリジェクト紙葉類の発生件数をリジェクト件数として表示する際に、該リジェクト件数をリジェクト要因別に分けて表示する
ことを特徴とする請求項２に記載の紙葉類処理装置。
【請求項４】
前記表示部は、前記リジェクト部に集積されたリジェクト紙葉類の枚数を確定できる間は、前記リジェクト部に集積されたリジェクト紙葉類の合計枚数を表示することを特徴とする請求項１〜３のいずれか１項に記載の紙葉類処理装置。
【請求項５】
前記リジェクト件数を示す数値は、該数値が枚数を確定できないリジェクト紙葉類の発生回数であることを示す情報と共に表示されることを特徴とする請求項１〜４のいずれか１項に記載の紙葉類処理装置。
【請求項６】
前記リジェクト紙葉類の合計枚数と、前記リジェクト件数とは、異なる色で表示されることを特徴とする請求項１〜５のいずれか１項に記載の紙葉類処理装置。
【請求項７】
リジェクト紙葉類の枚数を確定できない場合とは、前記搬送路を搬送される紙葉類が重送、連鎖、厚み異常及びサイズ異常の少なくともいずれか１つの状態にあることが検出された場合であることを特徴とする請求項１〜６のいずれか１項に記載の紙葉類処理装置。
【発明の詳細な説明】
【技術分野】
【０００１】
この発明は紙葉類の種類を識別して識別結果に対応する集積部に集積する紙葉類処理装置に関する。
【背景技術】
【０００２】
従来、銀行等の金融機関では紙幣や小切手等の紙葉類を処理する紙葉類処理装置が利用されている。例えば、紙幣の真偽を識別したり枚数や金額を計数したりするために紙幣処理装置が利用されている。特許文献１には、窓口係（テラー）が窓口で利用することができる小型の紙幣処理装置が開示されている。この紙幣処理装置は、ホッパに載置された紙幣を一枚ずつ装置内に繰り出して金種や真偽を識別して計数する機能を有する。紙幣処理装置は、ホッパの他に、識別計数された紙幣が集積される４つの集積部と、金種や真偽を識別できない紙幣や偽の紙幣等のリジェクト紙幣が排出されるリジェクト部とを有しており、ホッパの紙幣は識別結果に応じて集積部又はリジェクト部に搬送されるようになっている。例えば、窓口で顧客から受け取った紙幣を紙幣処理装置によって処理することにより、紙幣の真偽判定結果、金種別の枚数、合計金額等の処理結果が得られるので、窓口係の作業負担を軽減することができる。また、紙幣処理装置によって紙幣を識別計数することにより真偽判別や金額計数に関する人的ミスを防止することができる。
【０００３】
特許文献１に開示された紙幣処理装置では、処理された紙幣に関する情報が紙幣管理装置の画面上に表示される。例えば、入金処理時には、入金される紙幣の合計枚数及び合計金額の他、４つの集積部のそれぞれに集積された紙幣の金種及び枚数等、様々な情報が表示される。
【先行技術文献】
【特許文献】
【０００４】
【特許文献１】特許第５３１３２５７号公報
【発明の概要】
【発明が解決しようとする課題】
【０００５】
しかしながら、上記従来技術ではリジェクト部にリジェクトされた紙葉類に関する情報が表示されないという問題があった。例えば、窓口で顧客から１００枚の紙幣を受けとった窓口係が従来の紙幣処理装置を利用して紙幣の識別計数を行った際に、１００枚の紙幣のうち５枚がリジェクト紙幣としてリジェクト部に集積された場合には、表示部には９５枚と表示されるのみで、５枚のリジェクト紙幣に係る情報が表示されない。このため、窓口係に１００枚の紙幣を渡したにも拘わらず９５枚と表示されたことに顧客が不安を覚える場合や、リジェクトされた紙幣があることに窓口係が気付かず処理が混乱する場合があった。
【０００６】
リジェクト紙幣の中には、金種や真偽を識別できない紙幣、偽造紙幣であると識別された紙幣等、１枚の紙幣であることが確定できるリジェクト紙幣の他、複数紙幣の全部又は一部が重なった状態で搬送される重送や連鎖等、紙幣の枚数を確定できないリジェクト紙幣が含まれる。このように枚数を確定できないリジェクト紙幣が発生した場合に、リジェクト紙幣に関する情報をどのように表示するかが問題となる。
【０００７】
本発明は、上述した従来技術による問題点を解消するためになされたもので、リジェクトされた紙葉類に関する情報を分かり易く表示する紙葉類処理装置を提供することを目的とする。
【課題を解決するための手段】
【０００９】
上述した課題を解決し、目的を達成するため、本発明は、紙葉類処理装置であって、紙葉類を搬送する搬送路と、前記搬送路を搬送される紙葉類を識別する識別部と、前記識別部による識別結果に基づいて前記搬送路から排出されたリジェクト紙葉類を集積するリジェクト部と、前記リジェクト部に集積されたリジェクト紙葉類の枚数を確定できる場合と確定できない場合とで、前記リジェクト紙葉類に関する情報を異なる表示態様で表示する表示部とを備え、前記表示部は、枚数を確定できないリジェクト紙葉類が発生して前記リジェクト部に集積されたリジェクト紙葉類の枚数を確定できなくなった場合には、枚数を確定したリジェクト紙葉類の合計枚数の表示に代えて、枚数を確定したリジェクト紙葉類の合計枚数と枚数を確定できないリジェクト紙葉類の発生回数とを合算した値をリジェクト件数として表示することを特徴とする。
【００１０】
また、本発明は、紙葉類処理装置であって、紙葉類を搬送する搬送路と、前記搬送路を搬送される紙葉類を識別する識別部と、前記識別部による識別結果に基づいて前記搬送路から排出されたリジェクト紙葉類を集積するリジェクト部と、前記リジェクト部に集積されたリジェクト紙葉類の枚数を確定できる場合と確定できない場合とで、前記リジェクト紙葉類に関する情報を異なる表示態様で表示する表示部とを備え、前記表示部は、枚数を確定できないリジェクト紙葉類が発生して前記リジェクト部に集積されたリジェクト紙葉類の枚数を確定できなくなった場合には、枚数を確定したリジェクト紙葉類の合計枚数の表示に加えて、枚数を確定できないリジェクト紙葉類の発生回数をリジェクト件数として表示することを特徴とする。
【００１１】
また、本発明は、上記発明において、枚数を確定できないリジェクト紙葉類の発生件数をリジェクト件数として表示する際に、該リジェクト件数をリジェクト要因別に分けて表示することを特徴とする。
また、本発明は、上記発明において、前記表示部は、前記リジェクト部に集積されたリジェクト紙葉類の枚数を確定できる間は、前記リジェクト部に集積されたリジェクト紙葉類の合計枚数を表示することを特徴とする。
【００１２】
また、本発明は、上記発明において、前記リジェクト件数を示す数値は、該数値が枚数を確定できないリジェクト紙葉類の発生回数であることを示す情報と共に表示されることを特徴とする。
【００１３】
また、本発明は、上記発明において、前記リジェクト紙葉類の合計枚数と、前記リジェクト件数とは、異なる色で表示されることを特徴とする。
【００１４】
また、本発明は、上記発明において、リジェクト紙葉類の枚数を確定できない場合とは、前記搬送路を搬送される紙葉類が重送、連鎖、厚み異常及びサイズ異常の少なくともいずれか１つの状態にあることが検出された場合であることを特徴とする。
【発明の効果】
【００１５】
本発明によれば、表示部の画面上に、リジェクト部にリジェクトされた紙葉類に関する情報を表示することができる。リジェクトされた紙葉類の枚数を確定できる場合と、枚数を確定できない場合とで、画面上での情報の表示態様を変更することにより、表示された情報の内容を容易に認識できるようになっている。例えば、リジェクト枚数を確定できる間は枚数を数値で表示して、リジェクト枚数を確定できなくなった後は、リジェクトが発生した回数を示すリジェクト件数を所定のマークと共に表示したり括弧内に表示したりすることで、表示された情報が、枚数を確定したリジェクト紙葉類の枚数を表示したものであるか、枚数を確定できないためにリジェクト件数を表示したものであるかを容易に認識することができる。
【００１６】
また、本発明によれば、リジェクト枚数を確定できなくなった後、枚数を確定したリジェクト紙葉類の枚数と、リジェクト枚数を確定できないリジェクトの発生回数を示すリジェクト件数とを分けて表示することができる。リジェクト枚数を表示することにより、紙葉類処理装置の操作者は、集積部に集積された紙葉類の枚数と、リジェクト枚数とから、処理された紙葉類の合計枚数を認識することができる。また、リジェクト件数はリジェクトされた紙葉類の枚数を示すものではないが、リジェクト件数を表示することにより、紙葉類処理装置の操作者は、リジェクトされた紙葉類が存在することを容易に認識することができる。
【図面の簡単な説明】
【００１７】
【図１】図１は、本実施形態に係る紙幣処理装置の外観を示す斜視図である。
【図２】図２は、紙幣処理装置の外観を示す平面図である。
【図３】図３は、上部ユニット及び背面ユニットの開閉動作を示す図である。
【図４】図４は、リジェクト部の構造を示す図である。
【図５】図５は、装置前面における操作表示部と２つの紙幣集積部の位置関係を示す図である。
【図６】図６は、紙幣処理装置の内部構造概略を示す断面模式図である。
【図７】図７は、識別部の開閉動作を示す断面模式図である。
【図８】図８は、上部ユニットの開閉動作を示す断面模式図である。
【図９】図９は、ゴミ受け部の構造を示す図である。
【図１０】図１０は、紙幣集積部の構造を示す図である。
【図１１】図１１は、搬送路の構造を示す模式図である。
【図１２】図１２は、紙幣集積部内部に設けられた押出部材の構造及び押出部材を移動させる駆動機構を示す斜視図である。
【図１３】図１３は、押出機構により押出部材を移動させる方法を示す図である。
【図１４】図１４は、紙幣集積部内での押出部材の退避位置及び押出位置を示す模式図である。
【図１５】図１５は、紙幣集積部内に集積された紙幣の有無を検知する集積紙幣検知センサとセンサをクリーニングするセンサブラシを示す斜視図である。
【図１６】図１６は、センサブラシによるクリーニング方法を示す図である。
【図１７】図１７は、紙幣集積部に対する集積紙幣検知センサの配置位置を示す図である。
【図１８】図１８は、紙幣処理装置内部の紙幣搬送路の構造を説明するための展開図である。
【図１９】図１９は、紙幣集積部内部の羽根車の配置位置を示す模式図である。
【図２０】図２０は、紙幣処理時に操作表示部に表示される画面例を示す図である。
【図２１】図２１は、紙幣処理時にリジェクト紙幣が発生した場合に操作表示部に表示される画面例を示す図である。
【図２２】図２２は、紙幣処理時にエラーが発生した際に行われる戻し処理で操作表示部に表示される画面例を示す図である。
【図２３】図２３は、紙幣処理装置に設けられた複数の紙幣集積部の優先度設定を示す図である。
【図２４】図２４は、多数の紙幣集積部が設けられた紙幣処理装置の例を示す外観図である。
【図２５】図２５は、各紙幣集積部に集積する紙幣の種類を設定する方法を説明するための模式図である。
【発明を実施するための形態】
【００１８】
以下に、添付図面を参照して、本発明に係る紙葉類処理装置について説明する。本発明に係る紙葉類処理装置は、紙幣、小切手、商品券等の紙葉類を処理対象とすることができるものであるが、以下では、紙幣を処理対象とする紙幣処理装置を例に説明することとする。
【００１９】
［装置の外観構成］
図１は、紙幣処理装置１の外観を示す斜視図である。側面にホッパ２０及びリジェクト部５０を有し、前面に２つの紙幣集積部３０、４０を有する紙幣処理装置１は、紙幣を抜き取るための開口を有する紙幣集積部３０、４０内部で紙幣を傾斜した立位状態で集積すると共に、装置側面からのリジェクト部５０の突出を最小限に抑えることにより、装置の横幅を縮小して小型化を実現した点に１つの特徴を有している。
【００２０】
なお、本実施形態では、装置の四側面のうち操作表示部７０が設けられた装置手前側を前面として、紙幣処理装置１の前面側から操作表示部７０を操作する操作者から見て右手側の側面を右側面、左手側の側面を左側面、裏面側を背面と呼ぶ。また、本実施形態では、図１に示すように、装置左側面から右側面へ至る方向をＸ軸方向、装置前面から背面へ至る方向をＹ軸方向、装置底面から上面へ至る方向をＺ軸方向として示す。
【００２１】
紙幣処理装置１の前面側は、上部ユニット１１及び下部ユニット１２から成る。紙幣処理装置１は、横幅（Ｘ軸方向）４５０ｍｍ、奥行き（Ｙ軸方向）４５０ｍｍ、高さ（Ｚ軸方向）４００ｍｍの空間に設置可能な小型の装置である。右側面でリジェクト部５０の一部が突出しているため設置面の横幅はさらに小さく４００ｍｍ以下となっている。
【００２２】
紙幣処理装置１の前面左右下端には、例えば紙幣処理装置１を机上に設置した際に、机と装置筐体との間に手を入れる隙間ができるように、凹部３６、４６が形成されている。この凹部３６、４６は装置背面側にも設けられており、これら底面四隅の凹部３６、４６に手を入れて紙幣処理装置１を運搬できるようになっている。
【００２３】
上部ユニット１１の前面略中央に、各種情報の入力操作及び各種情報の出力表示を行うことができる大型の操作表示部７０が配置されている。操作表示部７０は、上側が装置前面と略同一の位置にあるのに対して、下側は装置前面よりも手前に突出しており、操作者が表示内容を見やすいように上向きに傾斜した状態で固定されている。操作表示部７０の左側には、背面側に向けて押し込むことにより前面側へ飛び出してくるプッシュオープン式のゴミトレイ７１が配置されている。装置内部で紙幣を搬送する際に発生する紙粉等のゴミをゴミトレイ７１に集めて装置外へ取り出せるようになっている。
【００２４】
上部ユニット１１の右側面には、識別計数処理の処理対象となる紙幣を載置するホッパ２０が設けられている。ホッパ２０の下側には、リジェクト紙幣を排出するリジェクト部５０が配置されている。リジェクト部５０は、リジェクト紙幣が集積される集積空間の上面が上部ユニット１１側にあり底面は下部ユニット１２側にある。上部ユニット１１の上面には開閉可能な上蓋１３が設けられている。上蓋１３と上部ユニット１１との間には係合部材が設けられており、通常はこの係合部材によって上蓋１３と上部ユニット１１とが固定されている。図１に示すように、上蓋１３の右側で前後方向略中央の位置に、係合部材による係合を解除するためのレバーが設けられており、このレバーに指を掛けた状態で上蓋１３を上方へ開く動作を行うことにより、係合部材による係合を解除する操作と、係合が解除された上蓋１３を開く操作とを一連の動作として行えるようになっている。上蓋１３を開くことにより、上部ユニット１１内にある識別部や搬送路を露出させて点検やメンテナンス等を行えるようになっている。
【００２５】
ホッパ２０には、紙幣短手を前面側（Ｙ軸負方向側）、紙幣長手を搬送方向前方側（Ｘ軸負方向）に向けた紙幣を、積層状態で載置することができる。ホッパ２０のステージ上に積層された紙幣は、一番下の紙幣から順に１枚ずつ装置内の搬送路上に繰り出される。搬送路上の各紙幣は紙幣長手を搬送方向前方として搬送される。ホッパ２０には、積層状態で載置された紙幣を短手側（Ｙ軸方向）から支持するガイド部材２１が設けられている。ガイド部材２１は透明の樹脂製で、ホッパ２０に載置された紙幣を外側から確認できるようになっている。ＸＺ面に対して対称な形状を有する２つのガイド部材２１は、連動してＹ軸方向にスライド移動させることができる。紙幣の長手長さに応じて２つのガイド部材２１の位置を調整することにより、ホッパ２０の前後方向（Ｙ軸方向）略中央に紙幣を載置して、搬送路の幅方向（Ｙ軸方向）略中央に紙幣を繰り出せるようになっている。ホッパ２０で紙幣が載置されるステージは、前後方向（Ｙ軸方向）略中央部が右方向（Ｘ軸負方向）に窪んだ形状を有している。この窪みから、ホッパ２０の下側にあるリジェクト部５０の集積空間内が見えるようになっており（図２（Ｂ）参照）、ステージ上の全ての紙幣が装置内に繰り出された後、リジェクト部５０に排出されたリジェクト紙幣の有無を容易に確認できるようになっている。
【００２６】
図１に示すように、リジェクト部５０には、装置内の搬送路からリジェクト部５０の集積空間内に排出されるリジェクト紙幣が外部へ飛び出さないように停止させる２つのストッパ部材５２と、集積空間内に停止したリジェクト紙幣を上から抑える抑え部材５３とが設けられている。ストッパ部材５２は、バネ部材によって図１に示す通常位置を維持されているが、Ｙ軸周りに装置外側方向に回動可能に支持されている。装置右側からリジェクト部５０内に集積されたリジェクト紙幣を取り出す際には、ストッパ部材５２が時計回りに回動して、リジェクト紙幣を容易に取り出せるようになっている。上部ユニット１１の前面右下には筐体前面から背面側に向かって窪んだ凹部５１が形成されている。また、リジェクト部５０内の集積空間でリジェクト紙幣を短手側から支持する側壁は、手前側の側壁の右側が左側に向かって切り欠かれた形状となっており、この側壁の切り欠きによって、リジェクト部５０の集積空間と凹部５１内の空間とが、筐体外側面よりも内側に入った所で接続されている。筐体前面の凹部５１内の空間が、右側面にあるリジェクト部５０内の集積空間と接続されていることにより、紙幣処理装置１の操作者は、装置前面側に居ながら、リジェクト部５０内のリジェクト紙幣の有無確認やリジェクト部５０からのリジェクト紙幣の取り出しを容易に行えるようになっている。
【００２７】
凹部５１内には、左斜め上方の位置に、上部ユニット１１と下部ユニット１２を係合する係合部材の係合を解除するレバーが設けられている。このレバーは、上部ユニット１１の右側面側を上方向へ引き上げようとして凹部５１内に右手を入れた際に、指が掛かる位置に設けられている。これにより、凹部５１に手を入れてレバーに指が掛かった状態で上部ユニット１１を上方へ開く動作を行うことにより、係合部材による係合を解除する操作と、係合が解除された上部ユニット１１を開く操作とを一連の動作として行えるようになっている。
【００２８】
下部ユニット１２の左右両外側には、前面側に開口を有する２つの紙幣集積部３０、４０が設けられている。ホッパ２０から装置内に繰り出された紙幣は、装置内で識別部によって識別計数される。紙幣集積部３０、４０への集積対象であると識別された紙幣は、識別結果に応じて第１紙幣集積部３０又は第２紙幣集積部４０に集積される。第１紙幣集積部３０で右上部から紙幣集積部内に排出された紙幣は、Ｙ軸周りに反時計回りに回転する羽根車３３によって紙幣集積部内の左側壁へ向けて送られる。左側壁は、その上部を左側、下部を右側とする形で傾斜している。羽根車３３によって左側壁へ送られた紙幣は、傾斜した左側壁の壁面と紙幣面とが並行となるように積層され、傾斜した立位状態で集積される。同様に、第２紙幣集積部４０で左上部から紙幣集積部内に排出された紙幣は、Ｙ軸周りに時計回りに回転する羽根車４３によって紙幣集積部内の右側壁へ送られる。右側壁は、その上部を右側、下部を左側とする形で傾斜している。羽根車４３によって右側壁へ送られた紙幣は、傾斜した右側壁の壁面と紙幣面とが並行となるように積層され、傾斜した立位状態で集積される。すなわち、紙幣集積部の集積空間内に集積された紙幣は、短手を前方に向けて長手を底面に接した状態で、短手の下側よりも短手の上側を装置の外側方向とする傾斜した立位状態で集積される。なお、羽根車３３、４３は、第１紙幣集積部３０及び第２紙幣集積部４０の集積空間で紙幣を整列した状態で集積させるために回転する集積車である。
【００２９】
紙幣処理装置１では、左右に２つの紙幣集積部３０、４０を有しながら、各紙幣集積部内で紙幣を傾斜した立位状態で集積することにより、紙幣面を水平にして集積する場合に比べて、紙幣の集積に必要な集積空間の横幅が小さくなっている。
【００３０】
下部ユニット１２の左側面前方側には、左側面を前面側から背面側へ向けて曲線状に切り欠いて設けられた切り欠き３１が形成されている。同様に、下部ユニット１２の右側面前方側にも、右側面を前面側から背面側へ向けて曲線状に切り欠いた切り欠き４１が形成されている。また、下部ユニット１２の前面には、左右の紙幣集積部３０、４０の間に、背面側に向けて窪んだ窪み６０が形成されている。
【００３１】
第１紙幣集積部３０の集積空間を形成する左側の側壁前端は、筐体左側面の切り欠き３１よりもさらに背面側にあり、切り欠き３１と集積空間の左側壁前端との間が開口左側面３５によって接続されている。また、第１紙幣集積部３０の集積空間を形成する右側の側壁前端は、第１紙幣集積部３０と第２紙幣集積部４０との間に形成された窪み６０よりも背面側かつ羽根車３３より前面側にあり、窪み６０と集積空間の右側壁前端との間が開口右側面３２によって接続されている。同様に、第２紙幣集積部４０の集積空間を形成する右側の側壁前端と切り欠き４１との間は開口右側面４５によって接続されている。また、第２紙幣集積部４０の集積空間を形成する左側の側壁前端と窪み６０との間が開口左側面４２によって接続されている。
【００３２】
前面側に居る操作者は、下部ユニット１２前面の窪み６０と、左右の開口側面３２、４２とによって、第１紙幣集積部３０及び第２紙幣集積部４０の内部に集積された紙幣の有無を容易に目視確認できるようになっている。また、第１紙幣集積部３０では、筐体左側面の切り欠き３１及び切り欠き３１から集積空間左側壁へ続く開口左側面３５と、集積空間右側壁から窪み６０へ続く開口右側面３２とがあることにより、集積空間の左側壁に沿って傾斜した立位状態で集積された紙幣を左右から挟むようにつかんで抜き取る動作を容易に行えるようになっている。同様に、第２紙幣集積部４０でも、筐体右側面の切り欠き４１及び切り欠き４１から集積空間右側壁へ続く開口右側面４５と、集積空間左側壁から窪み６０へ続く開口左側面４２とがあることにより、集積空間の右側壁に沿って傾斜した立位状態で集積された紙幣を容易に抜き出せるようになっている。
【００３３】
第１紙幣集積部３０及び第２紙幣集積部４０では、側面に切り欠き３１、４１が形成される一方で、底面は装置筐体前面まで続いている。このため、傾斜した立位状態で、長手縁部を底面に沿わせた状態で集積される紙幣を安定した状態で集積することができる。
【００３４】
第１紙幣集積部３０の開口部に形成された開口右側面３２及び開口左側面３５は、集積空間に向けて開口面積が狭くなるように傾斜した曲面によって形成されているが、これらの傾斜曲面を取り除いて、集積空間の左右の側壁前端が露出した状態のままとしても構わない。同様に、第２紙幣集積部４０の開口部に形成された開口左側面４２及び開口右側面４５は、集積空間に向けて開口面積が狭くなるように傾斜した曲面によって形成されているが、これらについても、集積空間の左右の側壁前端が露出した状態であっても構わない。
【００３５】
このように、紙幣処理装置１では、下部ユニット１２の筐体左右側面の切り欠き３１、４１と、第１紙幣集積部３０と第２紙幣集積部４０の間に形成された窪み６０と、第１紙幣集積部３０の傾斜した開口側面３２、３５と、第２紙幣集積部４０の傾斜した開口側面４２、４５とが形成されている。これにより、装置右側から、第１紙幣集積部３０及び第２紙幣集積部４０の集積空間に集積された紙幣の有無を容易に確認することができる。また、同様に、装置左側からも、第１紙幣集積部３０及び第２紙幣集積部４０の内部に集積された紙幣の有無を容易に確認することができる。
【００３６】
例えば、銀行窓口のカウンターで、ホッパ２０及びリジェクト部５０が設けられた装置右側面を窓口の外に居る顧客の方へ向けて設置する。そして、窓口係は、装置前面側から紙幣処理装置１を操作する。このとき、顧客は、窓口係に手渡した紙幣がホッパ２０に載置されて１枚ずつ装置内に繰り出される様子や、リジェクト部５０へリジェクト紙幣が排出される様子を見ることができる。また、下部ユニット１２に切り欠き３１、４１と、窪み６０と、開口側面３２、３５、４２、４５とを設けることにより、装置右側で窓口係と対面する位置に居る顧客は、第１紙幣集積部３０及び第２紙幣集積部４０に紙幣が集積される様子を見ることができる。このように、ホッパ２０、第１紙幣集積部３０、第２紙幣集積部４０及びリジェクト部５０を顧客から見やすいように紙幣処理装置１に配置して、窓口係が、顧客から受け取った紙幣を顧客の目の前で処理することにより、紙幣処理に関する窓口係の動作及び紙幣処理装置１における紙幣処理に関する疑義が生ずることを回避することができる。
【００３７】
［ポート類の配置位置］
図２は、紙幣処理装置１の外観を示す平面図である。図２（Ａ）は紙幣処理装置１の前面、同図（Ｂ）は上面、同図（Ｃ）は右側面、同図（Ｄ）は左側面を示している。なお、図２（Ｂ）は、二方を壁面とする場所に、背面及び左側面を壁面に向けて紙幣処理装置１を設置した例を示しており、上面から見た壁面の断面を斜線で示している。
【００３８】
紙幣処理装置１では、ホッパ２０及びリジェクト部５０が設けられた右側面の背面側に、可搬型記憶媒体であるメモリカードを挿入するスロット、ＵＳＢケーブルやＬＡＮケーブルを接続するポート、電源ケーブルを接続するインレット等を集中配置することにより、図２（Ｂ）に示すように、装置左側面及び背面を壁で壁面との間に隙間を設けることなく紙幣処理装置１を設置することができる点に１つの特徴を有している。
【００３９】
図２（Ｃ）に示すように、上部ユニット１１及び下部ユニット１２は装置前面側にあり、背面側は上下一体の背面ユニット１４になっている。すなわち、紙幣処理装置１の筐体は、前面側の上部ユニット１１と、前面側の下部ユニット１２と、背面側の背面ユニット１４との３つのユニットによって構成されている。
【００４０】
紙幣処理装置１では、図２（Ｃ）に示すように、背面ユニット１４の右側面に、メモリカードスロット６２と、ＵＳＢポート６３と、ＬＡＮポート６４と、プリンター等の専用の外部機器を接続するための専用ポート６５と、主電源スイッチ６６と、電源インレット６７とが設けられ、縦方向に一列に配置されている。すなわち、ポート類は、筐体右側面で、背面側に設けられた縦長形状の一部領域に集中配置されている。
【００４１】
紙幣処理装置１の使用時に、電源ケーブルが接続される電源インレット６７は一番下側に配置されている。また、電源インレット６７の上側には、ＬＡＮケーブルが接続される可能性があるＬＡＮポート６４と、外部機器接続用のケーブルが接続される可能性がある専用ポート６５とを配置して、さらにこれらのポート６４、６５の上側に、ＵＳＢケーブルが接続される可能性があるＵＳＢポート６３を配置している。そして、ケーブル類が接続されることがないメモリカードスロット６２が一番上に配置されている。このように、ケーブル類が接続される可能性が高いポートほど、下側に配置することにより、各ポートへのケーブル類の接続や、メモリカードやＵＳＢメモリ等の可搬型記憶媒体の挿入の動作を容易に行うことができる。
【００４２】
メモリカードスロット６２は、紙幣識別用の新たなテンプレートデータ、紙幣処理装置１の機能更新用の新たなファームウェア等が記録されたメモリカードを挿入して、識別用テンプレートデータ、ファームウェア等を更新するために利用する。また、メモリカードスロット６２に挿入したメモリカードに、紙幣処理に関するデータ、紙幣処理装置１内の各部の動作記録等のログデータを記録することも可能となっている。また、ＵＳＢポート６３は、ＵＳＢメモリを利用した識別用テンプレートデータの更新、ファームウェアの更新、ログデータの記録等を行うために利用することができる。また、ＵＳＢポート６３は、ＵＳＢケーブルによるデータ通信に対応した機器を接続する際に、ＵＳＢケーブルを接続するために利用する。
【００４３】
ＬＡＮポート６４は、ＬＡＮケーブルにより紙幣処理装置１をネットワークに接続するために利用する。紙幣処理装置１をネットワークに接続することにより、上位ターミナルや管理サーバ等の外部装置との間でデータ通信を行ったり、外部装置から紙幣処理装置１を制御したりすることが可能となっている。また、紙幣処理装置１の識別用テンプレートデータの更新、ファームウェアの更新、ログデータの収集等を、上位ターミナル等の他の装置からネットワークを介して行うこともできる。
【００４４】
専用ポート６５は、プリンターや表示装置等、専用の機器を接続するためのインターフェイスである。電源インレット６７は、紙幣処理装置１に電力を供給するための電源ケーブルを接続するためのポートである。主電源スイッチ６６は、電源ケーブルから供給される電力のオン及びオフを制御するためのスイッチである。図２（Ｃ）に示すように、紙幣処理装置１の下部ユニット１２右側面には副電源スイッチ６１が設けられており、主電源スイッチ６６及び副電源スイッチ６１の両方をオンにすることで、紙幣処理装置１が起動するようになっている。主電源スイッチ６６をオフにした状態では、副電源スイッチ６１をオンにしても紙幣処理装置１で紙幣処理を行うことはできず、主電源スイッチ６６をオンにし副電源スイッチ６１をオフにした状態で装置が待機状態となる。
【００４５】
ホッパ２０及びリジェクト部５０が設けられた紙幣処理装置１の右側面では、ホッパ２０への紙幣の載置、リジェクト部５０からの紙幣の抜き取りを行う必要がある。このため、通常、右側面を壁面に密着させるように紙幣処理装置１を設置することはできない。同様に、第１紙幣集積部３０及び第２紙幣集積部４０の開口部が設けられた前面では、内部に集積された紙幣の抜き取りを行う必要がある。このため、通常、前面を壁面に密着させるように紙幣処理装置１を設置することはできない。紙幣処理装置１では、このように通常壁面に向けることができない筐体面上にポート類が設けられている。
【００４６】
具体的には、紙幣処理を行う際に、紙幣処理の様子を顧客から見えるようにするため、壁面に対向させることができない右側面に、メモリカードスロット６２、ＵＳＢポート６３、ＬＡＮポート６４、外部機器接続用の専用ポート６５、主電源スイッチ６６、電源インレット６７の全てを集中的に配置している。これにより、ポート類が設けられていない左側面及び背面については、図２（Ｂ）に示すように、これらの面を壁面に密着させるようにして設置することが可能であるため、設置時に壁面との間に無駄なスペースが生ずることがない。また、紙幣処理装置１を、図２（Ｂ）に示すように設置した場合でも、ポート類が設けられた右側面側が開放されているため、紙幣処理装置１を移動させることなくポート類を利用することができる。
【００４７】
図３は、上部ユニット１１、下部ユニット１２及び背面ユニット１４の開閉の様子を示す図である。上部ユニット１１と下部ユニット１２との間には係合部材が設けられており、通常はこの係合部材によって上部ユニット１１と下部ユニット１２とが固定されている。紙幣処理装置１はこの係合部材のロックを解除することにより、図３（Ａ）に示すように、下部ユニット１２に対して、上部ユニット１１右側を上方に開くことができる。また、図２（Ｃ）に示すようにポート類が集中配置された背面ユニット１４の右側を、図３（Ｂ）に示すように、上部ユニット１１及び下部ユニット１２に対して後方に開くことができる。
【００４８】
紙幣処理中に紙幣詰まり（ジャム）等のエラーが発生して装置内部の搬送路に紙幣が詰まった場合に、上部ユニット１１を上方に開いて、詰まった紙幣を搬送路から取り除いたり、装置内各部の点検や修理等を行ったりすることができる。
【００４９】
背面ユニット１４の内部には、メモリカードスロット６２、ＵＳＢポート６３、ＬＡＮポート６４、外部機器用の専用ポート６５、主電源スイッチ６６、電源インレット６７等が接続された基板、電源ユニット等が収められている。また、紙幣処理装置１内で紙幣の金種等を識別する識別部の制御、搬送路による紙幣の搬送制御等を行う基板も背面ユニット１４内部に収められている。例えば、図２（Ｂ）に示すように設置した紙幣処理装置１で故障が発生した場合には、紙幣処理装置１を前方側へ移動させて背面ユニット１４を後方に開くことにより、上部ユニット１１及び下部ユニット１２内で搬送路のローラを駆動するモータ等を点検することができる。
【００５０】
［リジェクト部の構造］
図４は、リジェクト部５０及びリジェクト部５０装置前面側に設けられた筐体凹部５１の構造を示す図である。図４（Ａ）はリジェクト部５０の外観の斜視図を示し、同図（Ｂ）はリジェクト部５０を上方から見た平面図を示している。紙幣処理装置１では、リジェクト部５０の前面側側壁１１ａの右側が切り欠かれ、筐体前面に、この切り欠き５１ａによってリジェクト部５０の集積空間と接続された凹部５１が形成されている点に１つの特徴を有している。凹部５１は、上部ユニット１１の前面１１ｂから背面側に向かって窪んだ形状を有しており、凹部５１内の前面５１ｂと連続して形成された側壁１１ａの切り欠き５１ａによって、凹部５１とリジェクト部５０内の集積空間とが接続されている。
【００５１】
このような構造とすることにより、装置前面側からもリジェクト紙幣を取り出しやすくなっている。図４（Ａ）に示すように、リジェクト部５０に集積されたリジェクト紙幣１５の短手右側の角部１５ａは、リジェクト部５０の集積面より前方右側へはみ出しており、この角部１５ａを上下から挟むようにつかんでリジェクト紙幣１５を取り出すことができる。
【００５２】
凹部５１内には、上部ユニット１１を開くためのレバー５１ｃが設けられている。このレバー５１ｃを、上方に持ち上げるように握ることにより上部ユニット１１と下部ユニット１２との間で係合部材による係合が解除される。そして、レバー５１ｃをさらに上方へ持ち上げることにより、係合が解除された上部ユニット１１を上方へ持ち上げて、図３（Ａ）に示すように開くことが可能となっている。
【００５３】
図４（Ｂ）に示すように、リジェクト部５０の集積空間では、破線で示すようにしてリジェクト紙幣１５が集積される。リジェクト紙幣１５が集積される集積面では、２つのストッパ部材５２の間の集積面５０ｂが、装置左方向（Ｘ軸負方向）に切り欠かれた位置にあり、この切り欠き部分で上下から挟むようにしてリジェクト紙幣１５をつかんで抜き出せるようになっている。
【００５４】
リジェクト部５０の背面側集積面５０ｃは、装置左方向（Ｘ軸負方向）に、ストッパ部材５２の間の集積面５０ｂと同じ位置まで切り欠かれた位置にある。一方、リジェクト部５０の前面側集積面５０ａは、装置左方向に向けて、ストッパ部材５２の間の集積面５０ｂ及び背面側集積面５０ｃよりも深く切り欠かれた位置にある。また、装置前面側のリジェクト部５０の側壁の切り欠き５１ａは、前面側集積面５０ａよりもさらに装置左方向に後退した位置にある。装置前面側では、他の集積面５０ｂ、５０ｃよりも一段深く切り欠かれた位置に集積面５０ａが形成され、この集積面５０ａからさらにもう一段深く切り欠かれた位置に側壁の切り欠き５１ａがある。すなわち、装置前面側には、前面側集積面５０ａ及び側壁の切り欠き５１ａによる二段の切り欠きが形成されている。
【００５５】
［操作表示部］
図５は、２つの紙幣集積部３０、４０及び操作表示部７０の位置関係を示す図である。紙幣処理装置１は、小型の装置でありながら多数の情報を表示可能な大型の操作表示部７０を有し、この操作表示部７０上に、各紙幣集積部に関する情報を、表示された情報と各紙幣集積部との関係を容易に認識できるように表示する点に１つの特徴を有している。
【００５６】
操作表示部７０は、縦１０７ｍｍ、横１４２ｍｍの７インチの液晶画面から成るタッチパネル式の液晶表示装置で、文字、静止画像及び動画像等の情報をカラー表示すると共に、タッチパネルによる情報入力を受け付けることも可能となっている。上部ユニット１１及び下部ユニット１２から成る紙幣処理装置１前面の大きさは縦が約３９０ｍｍ、横が約３５０ｍｍとなっており、操作表示部７０の表示画面の大きさは、面積比で装置前面の約１１％となっている。
【００５７】
図５に示すように、第１紙幣集積部３０及び第２紙幣集積部４０は、下部ユニット１２の左右両外側に配置されている。前面側から見て左右方向略中央、紙幣集積部の中心線を含む位置に操作表示部７０が配置されている。また、紙幣集積部３０、４０を下部ユニット１２に配置して、操作表示部７０を上部ユニット１１に配置することにより、左右の紙幣集積部３０，４０の間の距離（Ｄ２）よりも液晶から成る表示画面の横幅（Ｄ１）が広い操作表示部７０を利用することが可能となっている。
【００５８】
操作表示部７０の表示画面左端は第１紙幣集積部３０右端より装置外側（左側）にあり、表示画面右端は第２紙幣集積部４０の左端より装置外側（右側）にある。このため、操作表示部７０の表示画面左下に第１紙幣集積部３０に関する情報を表示する専用の第１表示領域２０１を設け、表示画面右下に第２紙幣集積部４０に関する情報を表示する専用の第２表示領域２０２を設けることにより、各紙幣集積部に対応する情報を容易に認識することができる。例えば、図５に示すように、第１紙幣集積部３０に集積されている紙幣枚数を第１表示領域２０１に表示して、第２紙幣集積部４０に集積されている紙幣枚数を第２表示領域２０２に表示して、これらの紙幣枚数を合計した合計枚数を操作表示部７０の略中央に表示する。これにより、第１表示領域２０１及び第２表示領域２０２に表示された各情報がいずれの紙幣集積部３０、４０に関するものであるかを示す文字情報を表示せずとも、紙幣処理装置１の操作者は、表示された情報と紙幣集積部３０、４０との関係を容易に認識することができる。
【００５９】
このように、操作表示部７０の表示画面の上辺を紙幣処理装置１の上面、表示画面の左右の辺を紙幣処理装置１の左右側面、表示画面の下辺を紙幣処理装置１の底面に対応させて、操作表示部７０の表示画面を装置前面に見立てて、表示画面を複数の部分領域に分割した場合に、第１紙幣集積部３０の配置位置に対応する画面左下の第１表示領域２０１に第１紙幣集積部３０に集積された紙幣に関する情報を表示して、第２紙幣集積部４０に対応する画面右下の第２表示領域２０２に第２紙幣集積部４０に集積された紙幣に関する情報を表示する。これにより、第１紙幣集積部３０に集積された紙幣に関する情報は、操作表示部７０の表示画面上で第１紙幣集積部３０に近接する第１表示領域２０１に表示され、第２紙幣集積部４０に集積された紙幣に関する情報は、表示画面上で第２紙幣集積部４０に近接する第２表示領域２０２に表示される。
【００６０】
操作表示部７０の表示画面上に紙幣処理装置１に関する情報を表示する際に、表示する情報の位置と、この情報と関連する紙幣処理装置１の構成部の位置とを対応させて表示することにより、操作者は、表示された各情報と紙幣処理装置１の構成部との関係を容易に認識することができる。
【００６１】
なお、図５では、操作表示部７０の表示画面に、各紙幣集積部に集積された紙幣枚数を表示する例を示したが、この他、表示情報に係る設定を変更することにより、金種や正損等の紙幣の種類、各紙幣集積部に集積されている紙幣の合計金額、所定枚数に達するまでに残り何枚かを示す情報等を表示することもできる。また、例えば、紙幣集積部からの紙幣の抜き取りを指示する情報等、各紙幣集積部に対して行う操作に関する情報を表示することもできる。また、例えば金種及び枚数の両方を表示する等、各表示領域２０１、２０２に複数の情報を表示させることも可能となっている。また、画面上には、バッチ処理を行う際に、バッチ枚数やバッチ成立回数を表示することもできるが詳細は後述する。
【００６２】
［装置の内部構造］
次に、紙幣処理装置１の内部構造について説明する。図６は、正面から見た紙幣処理装置１の内部構造概略を示す断面模式図である。装置右上にあるホッパ２０に積層状態で載置された複数紙幣のうち一番下にある紙幣がキッカローラ２３によって装置内部へ向けて送り出される。そして、対向して設けられたフィードローラ２５及び逆転ローラ２４によって紙幣が１枚ずつに分離され、一番下の紙幣のみが搬送路へ繰り出されるようになっている。装置内に繰り出された紙幣は、上側の搬送ガイド２６と下側の搬送ガイド２７とによって形成された搬送路を左方向へ搬送される。搬送路では、多数のローラと、複数のローラに巻回された搬送ベルト９０〜９５が、搬送ガイド２６、２７から搬送路内へ露出しており、ローラ又は搬送ベルト９０〜９５によって紙幣が搬送されるようになっている。
【００６３】
搬送ベルト９１〜９５は、両端のローラに巻回された上下の搬送ベルトを平行な状態とせず、搬送路を形成する側の搬送ベルトがローラによって押し上げられたり押し下げられたりした状態となっている。これにより、搬送路の上下でローラを対向して設けずとも、搬送される紙幣と搬送ベルトとの間のグリップ力を確保して、安定した搬送を行うことが可能となっている。
【００６４】
紙幣処理装置１内の搬送路は、上部ユニット１１内で左方向（Ｘ軸負方向）へ搬送する上部搬送路と、下部ユニット１２内で紙幣を右方向（Ｘ軸正方向）へ搬送する下部搬送路と、上部搬送路及び下部搬送路を接続して紙幣を下方向（Ｚ軸負方向）へ搬送する中間搬送路とによって構成されている。ホッパ２０から繰り出されて上部搬送路を左方向へ搬送された紙幣は、識別部１００を通過した後、向きを変えて中間搬送路を下方向へ搬送され、その後さらに向きを変えて下部搬送路を右方向へ搬送される。
【００６５】
上部搬送路に設けられた識別部１００は、透過画像、紙幣上面の反射画像及び紙幣下面の反射画像を取得するためのラインセンサ１０１と、ＵＶ光（紫外光）を照射して励起される発光を検知するためのＵＶセンサ１０２と、紙幣の厚みを検知するための厚み検知センサ１０３と、紙幣の磁気特性を検知するための磁気検知センサ１０４とを有している。これらのセンサによって得られた紙幣の光学特性、磁気特性及び厚みに基づいて、紙幣の金種、真偽、正損、表裏、方向等を識別することができる。
【００６６】
搬送路には、紙幣の通過を検知する複数の搬送紙幣検知センサ８０〜８５が配置されている。搬送紙幣検知センサ８０〜８５は投光部及び受光部によって構成され、紙幣通過による透遮光の変化に基づいて紙幣を検知する。上部搬送路では、搬送紙幣検知センサ８１による検知結果に基づいて紙幣の通過タイミングを認識した識別部１００が、通過する紙幣の識別処理を行う。
【００６７】
下部搬送路では、第１分岐点に第１分岐部材１１１が設けられ、第１分岐点より下流側の第２分岐点に第２分岐部材１１２が設けられている。第１分岐点では、第１分岐部材１１１により、紙幣が下部搬送路下流又は第１紙幣集積部３０へ振り分けられる。同様に、第２分岐点では、第２分岐部材１１２により、紙幣がリジェクト部５０又は第２紙幣集積部４０へ振り分けられる。
【００６８】
具体的には、識別部１００による識別結果と、中間搬送路の搬送紙幣検知センサ８３で検知された紙幣の通過タイミングとに基づいて、第１分岐部材１１１が制御される。そして、搬送紙幣検知センサ８３で検知された紙幣が第１紙幣集積部３０の集積対象でない場合には、第１分岐部材１１１は図６に示す状態となり、紙幣は第１紙幣集積部３０へ分岐されることなく第１分岐点を通過して右方向へ搬送される。一方、紙幣が第１紙幣集積部３０の集積対象となる紙幣であれば、第１分岐部材１１１が時計回りに回動して、この紙幣は搬送路から分岐された後、第１紙幣集積部３０へ向けて搬送される。同様に、識別結果と、下部搬送路の搬送紙幣検知センサ８４で検知された紙幣の通過タイミングとに基づいて、第２分岐部材１１２が制御される。そして、第２紙幣集積部４０の集積対象となる紙幣は、搬送路から分岐された後、第２紙幣集積部４０へ向けて搬送される。一方、紙幣がリジェクト紙幣である場合は、第２紙幣集積部４０へ向けて分岐されることなく、第２分岐点を通過してさらに右方向へ搬送され、リジェクト部５０へ搬送される。リジェクト部５０では、高速搬送されるリジェクト紙幣が勢いよく排出されるが、リジェクト紙幣先端がストッパ部材５２で受け止められると共に、このリジェクト紙幣の後端が、回転する札叩きゴム５４によって下方へ叩かれるようになっている。また、抑え部材５３によって下方へ抑えられることにより、リジェクト紙幣がリジェクト部５０内へ集積される。
【００６９】
第２分岐部材１１２の下流側は、下流に向かうほど高くなるように傾斜した、上り傾斜の傾斜搬送路となっている。そして、この傾斜搬送路の下側で、左方向へもぐり込ませるようにリジェクト部５０を配置して、傾斜搬送路で上斜め方向に搬送したリジェクト紙幣を、リジェクト部５０の左上方からリジェクト部５０内の集積空間へ排出するようになっている。搬送路を傾斜させて、リジェクト部５０をなるべく装置内側に配置した結果、ホッパ２０のキッカローラ２３の回転軸の位置よりも、札叩きゴム５４の回転軸の位置が、水平方向（Ｘ軸方向）で装置内部方向（Ｘ軸負方向）になっている。紙幣処理装置１では、紙幣集積部３０、４０の紙幣を傾斜した立位姿勢で集積することに加えて、このようにリジェクト部５０の一部を装置内に埋め込んだ構造とすることにより紙幣処理装置１の小型化を実現している。
【００７０】
なお、第２分岐部材１１２より下流側に搬送紙幣検知センサ８５が設けられ、第１分岐部材１１１から第１紙幣集積部３０へ分岐された分岐搬送路と第２分岐部材１１２から第２紙幣集積部４０へ分岐された分岐搬送路にもそれぞれ搬送紙幣検知センサ８６、８７が設けられており（図１１参照）、搬送路に存在する紙幣を検知できるようになっている。これらの搬送紙幣検知センサ８０〜８７は、搬送される紙幣の有無を検知する他、エラーが発生して紙幣の搬送を停止した際に、搬送路に残留する残留紙幣の有無検知にも利用される。
【００７１】
また、第１紙幣集積部３０及び第２紙幣集積部４０の背面側には押出部材３４、４４が設けられている。ホッパ２０に載置された紙幣の処理が完了して、全ての紙幣が、第１紙幣集積部３０、第２紙幣集積部４０及びリジェクト部５０のいずれかに集積された後、押出部材３４、４４が前方へ移動することにより、集積空間内に集積された全ての紙幣が前面開口部へ向けて押し出されるようになっているが、これについての詳細は後述する。
【００７２】
［装置上部の開閉］
次に、紙幣処理装置１の上部ユニット１１の開閉及び上部ユニット１１の識別部１００の開閉について説明する。図３（Ａ）に示すように上部ユニット１１を上方に開く際に、回動の中心となる支持軸１９は、図６に示すように下部ユニット１２に固定されたフレーム１０６に設けられている。また、上部ユニット１１を閉じた状態のまま、上部ユニット１１内の識別部１００を上方に開く際に、回動の中心となる支持軸１８は、上部ユニット１１に固定されたフレームに設けられている。
【００７３】
また、筐体の上蓋１３は前蓋１３ａと後蓋１３ｂとに分割されている。後蓋１３ｂは、前蓋１３ａ後端の支持軸１７によって、支持軸１７を中心として時計回りに上方に回動可能に支持されている。
【００７４】
図７は、識別部１００を上方に開いた状態を示す断面模式図である。識別部１００は、搬送路の上下で２つに分かれている。識別部１００の搬送路上側部分と、識別部１００の上流側及び下流側で搬送路の上側にある一部のローラとが、識別部上部ユニット１０５を構成している。この識別部上部ユニット１０５が、支持軸１８を中心として回動して上方へ開くようになっている。これにより、識別部１００に設けられた各センサ１０１〜１０４の点検やメンテナンスを行ったり、上部搬送路に詰まった紙幣やゴミを取り除いたりすることができる。
【００７５】
識別部上部ユニット１０５が、前蓋１３ａと共に、図７に実線矢印で示したように上方へ開くと、後蓋１３ｂは、破線矢印で示したように支持軸１７周りに回動する。後蓋１３ｂが、後方下端を筐体左側面１２ａに沿って下側へ移動させながら回動することにより、前蓋１３ａと後蓋１３ｂとが一体成形されている場合のように、後蓋１３ｂの後方下端が他の部材と干渉して識別部上部ユニット１０５の回動を制限することがない。このため、識別部上部ユニット１０５を上方に大きく開けるようになっている。
【００７６】
図８は、上部ユニット１１を上方に開いた状態を示す断面模式図である。上部ユニット１１が、支持軸１９を中心として、図８に実線矢印で示したように回動して上方へ開くと、後蓋１３ｂが、破線矢印で示したように支持軸１７周りに回動する。後蓋１３ｂが、後方下端を筐体左側面１２ａに沿って下側へ移動させながら回動することにより、上蓋１３が他の部材と干渉して上部ユニット１１の回動を制限することがなく、上部ユニット１１を上方に大きく開けるようになっている。
【００７７】
識別部１００を含む上部搬送路は、図８に示すように上部ユニット１１を上方へ開いた際に、上方へ移動する上部ユニット１１に含まれている。また、中間搬送路は、搬送路の右側と左側とに分かれ、右側の構成部が上部ユニット１１に含まれ、左側の構成部は下部ユニット１２に含まれる。下部搬送路は、搬送路の上側と下側とに分かれ、上側の構成部が上部ユニット１１に含まれ、下側の構成部は下部ユニット１２に含まれる。このように、中間搬送路及び下部搬送路が、上部ユニット１１と下部ユニット１２とに分かれることにより、上部ユニット１１を開いて中間搬送路及び下部搬送路を開放して、搬送路に詰まった紙幣やゴミ等を取り除けるようになっている。
【００７８】
ホッパ２０とリジェクト部５０で紙幣を抑える抑え部材５３とは、上部ユニット１１に含まれ、リジェクト部５０の本体部は下部ユニット１２に含まれている。装置を小型化するため、紙幣処理装置１では、リジェクト部５０が装置右側面から外側へ大きく突出することがないように、リジェクト部５０の本体部をなるべく装置内へ埋め込む形で各部の配置位置が設定されているが、図８に示すように上部ユニット１１を開くことにより、リジェクト部５０へ至る下部搬送路やリジェクト部５０に詰まった紙幣やゴミ等を容易に取り除けるようになっている。
【００７９】
下部ユニット１２では、下部搬送路から第１紙幣集積部３０へ向けて紙幣を分岐する第１分岐点から第１紙幣集積部３０へ至る分岐搬送路の長さが、搬送方向の紙幣長さ、すなわち紙幣の短手長さよりも短くなっている。このため、第１分岐点で分岐された紙幣が第１紙幣集積部３０へ搬送される途中で詰まってしまった場合でも、紙幣前端が第１紙幣集積部３０の集積空間内に露出した状態又は紙幣後端が下部搬送路上に露出した状態のいずれかの状態となる。同様に、下部搬送路から第２紙幣集積部４０へ向けて紙幣を分岐する第２分岐点から第２紙幣集積部４０へ至る分岐搬送路の長さも、紙幣の短手長さより短くなっており、この位置で紙幣の搬送が停止した場合でも、第２紙幣集積部４０の集積空間内の紙幣前端又は下部搬送路上の紙幣後端のいずれかを確認できるようになっている。
【００８０】
このように、紙幣処理装置１では、紙幣詰まり等により搬送が停止した場合には、図７及び図８に示すように、識別部上部ユニット１０５及び上部ユニット１１を上方に開くことにより、上部搬送路、中間搬送路及び下部搬送路にある紙幣、第１分岐点及び第２分岐点を通過して停止した紙幣等を確実に取り除くことができる。
【００８１】
［ゴミ受け部］
図１に示したように、上部ユニット１１の前面には、背面側に向けて押し込むことにより前面側へ飛び出してくるプッシュオープン式のゴミトレイ７１が配置されている。このゴミトレイ７１は、図６に示すように、識別部１００の下方に固定されたゴミ受けプレート７２に形成された溝内を前後方向へスライドするようになっており、ゴミトレイ７１の背面側にプッシュオープン機構が設けられている。ゴミトレイ７１及びゴミ受けプレート７２によって、ゴミ受け部が形成されている。
【００８２】
識別部１００の厚み検知センサ１０３は、固定された軸上に回転可能に支持された搬送路下側の基準ローラと、搬送路上側で上下方向に変位可能かつ回転可能に支持された検知ローラとを密着させてローラ対を形成し、このローラ対の間を紙幣が通過して上下方向に変位する検知ローラの動きに基づいて紙幣の厚みが検知される。基準ローラ及び検知ローラから成るローラ対は、搬送方向に垂直な方向（Ｙ軸方向）に多数設けられており、密着した複数のローラ対の間を通過する間に紙幣に付着していたゴミが剥がれて落ちやすくなっている。また、紙幣自体から紙粉が剥がれて落ちることもある。磁気検知センサ１０４では、搬送路下側に配置した毛ローラによって、搬送路上側に配置した磁気検出センサに紙幣を密着させるが、ここでもゴミや紙粉が発生しやすい。このため、厚み検知センサ１０３及び磁気検知センサ１０４の下方にゴミトレイ７１を配置して、紙粉やゴミをゴミトレイ７１で受けるようになっている。
【００８３】
図９は、ゴミトレイ７１及びゴミ受けプレート７２の形状を示す模式図である。図９（Ａ）は、ゴミトレイ７１及びゴミ受けプレート７２を上方から見た図を示しており、同図（Ｂ）は前方から見た図を示している。また、図９（Ｃ）は、図８に示すように上部ユニット１１を開いた際に、前方から見たゴミトレイ７１及びゴミ受けプレート７２を示している。なお、図９（Ａ）では、識別部１００の搬送路より下側の部分を示しているため、厚み検知センサ１０３の位置には基準ローラが示されており、磁気センサ１０４の位置には毛ローラが示されている。
【００８４】
図９（Ａ）に示すように、ゴミトレイ７１及びゴミ受けプレート７２の装置前後方向（Ｙ軸方向）の長さが、搬送ガイド２６、２７によって形成される搬送路の幅（Ｙ軸方向の長さ）よりも長く、識別部１００よりも長くなっている。
【００８５】
図９（Ｂ）に示すように、前方から見たゴミ受けプレート７２の形状は、ゴミトレイ７１より左側で、磁気検知センサ１０４の下方に位置する左端からゴミトレイ７１に向かって下方へ傾斜した形状となっている。これにより、図９（Ｂ）に矢印で示したように、傾斜部分で受けた紙粉やゴミがゴミトレイ７１内へ滑り落ちるようになっている。
【００８６】
また、ゴミ受けプレート７２の形状は、ゴミトレイ７１より右側では水平になっているが、図８に示すように上部ユニット１１の右側面を上方に開くと、上部ユニット１１と共に、ゴミトレイ７１及びゴミ受けプレート７２から成るゴミ受け部も図９（Ｃ）に示すように右側を上方に上げた状態に傾く。このため、図９（Ｃ）に矢印で示したように、ゴミ受けプレート７２右側の水平部分に貯まった紙粉やゴミが滑り落ちてゴミトレイ７１に集まるようになっている。
【００８７】
こうして、紙粉やゴミが内部に集められたゴミトレイ７１を背面側に向けて押し込むと、背面側に設けられたプッシュオープン機構により、ゴミトレイ７１の一部が前面側へ飛び出してくる。筐体前面から一部が飛び出したゴミトレイ７１を装置から抜き出すことにより、ゴミトレイ７１に集められた紙粉やゴミを廃棄することができる。
【００８８】
なお、ゴミ受け部の構造については、ゴミ受けプレート７２が、ゴミトレイ７１をスライドさせる溝部分とゴミを集めるプレート部分とを一体成形した形状に限定されるものではなく、スライド移動するゴミトレイ７１と、ゴミを集めるプレート部分とを別々に設けて、ゴミを集めるプレート部分をゴミ受けプレート７２とする態様であっても構わない。また、ゴミ受けプレート７２は、単数のプレートで構成される態様であってもよいし、複数のプレートで構成される態様であっても構わない。また、ゴミトレイ７１の左側だけでなく、右側、背面側等に、ゴミトレイ７１にゴミが滑り落ちる傾斜したプレートを設けて、これをゴミ受けプレート７２とする態様であっても構わない。なお、ゴミ受け部の構成によらず、ゴミトレイ７１又はゴミ受けプレート７２の少なくともいずれか一方を、識別部１００の厚み検知センサ１０３及び磁気検知センサ１０４の下側に配置する。
【００８９】
［紙幣集積部の構造］
図１０は、第１紙幣集積部３０の構造を説明するための図である。なお、第２紙幣集積部４０は第１紙幣集積部３０と同様の構造を有し、図１０に示す第１紙幣集積部３０を左右反転すれば第２紙幣集積部４０を示す構造となるため、第２紙幣集積部４０の説明は省略して、第１紙幣集積部３０について説明する。
【００９０】
なお、第１紙幣集積部３０の集積空間は、側壁部材等の複数の部材で形成されるが、図１０では底面及び左右の側壁を第１紙幣集積部３０の一部として符号３０ａ、３０ｂ、３０ｃで示している。左側の側壁３０ｂの前端にはＸＺ平面に平行な三角形状の平面が形成され、右側の側壁３０ｃの前端にもＸＺ平面に平行は略三角形状の平面が形成されている。左側壁３０ｂの前端平面部の底辺と、右側壁３０ｃの前端平面部の底辺とは異なる高さにあり、左側壁３０ｂ及び右側壁３０ｃは、底面３０ａに比べて背面方向に後退した位置にある。左側壁３０ｂの三角形状の平面の底辺からＸＹ平面に平行に前方に突出した面（図１５の符号１３０ａ参照）の上に図１に示す開口左側面３５が形成され、右側壁３０ｃの略三角形状の平面の底辺からＸＹ平面に平行に前方に突出した面（図１５の１３１ａ参照）の上に図１に示す開口右側面３２が形成される。具体的には、図１に示す開口左側面３５は、左側壁３０ｂの前端にある三角形状の平面部を覆う形で左側壁３０ｂと筐体左側面の切り欠き３１を接続して形成され、図１に示す開口右側面３２は、右側壁３０ｃの前端にある略三角形状の平面部を覆う形で右側壁３０ｃと窪み６０を接続して形成される。
【００９１】
第１紙幣集積部３０では、下部搬送部から第１分岐部材１１１によって分岐された紙幣が分岐搬送路を搬送されて、右上部から集積空間内へ排出される。紙幣集積部内へ排出された紙幣は、反時計回りに回転する羽根車３３によって左方向へ送られて、傾斜した側壁３０ｂに紙幣面が沿うように積層され、紙幣長手縁部が底面３０ａに接する形で集積される。
【００９２】
図１０に示す水平面と側壁３０ｂとの間の角度ａは７０度、水平面と底面３０ａとの間の角度ｂは１５度、底面３０ａと側壁３０ｂとの間の角度ｃは９５度となっている。角度ａを小さくすると紙幣集積部の横方向（Ｘ軸方向）のサイズが大きくなって紙幣処理装置１が大型化する。また、角度ａを大きくすると傾斜した立位状態にある紙幣が安定せず、集積済みの紙幣が羽根車３３の方へ倒れて、新たに紙幣集積部内に侵入してきた紙幣と干渉して集積不良が生ずる。このため角度ａは６０度以上かつ８０度以下であることが好ましい。
【００９３】
例えば、紙幣がない状態から集積された１枚目の紙幣は、上側の長手縁部が側壁３０ｂに接する一方で、下側の長手縁部は側壁３０ｂから離れた位置で底面３０ａに接する状態で集積されることが多い。その後、後続の紙幣が順次集積されるうちに、底面３０ａに接する紙幣下側の長手縁部が側壁３０ｂの方へ押されて移動し、やがて１枚目に集積されていた紙幣の紙幣面が側壁３０ｂに沿うようになる。後続の紙幣も同様に移動して１枚目の紙幣の上に積層された状態となる。先に集積されている紙幣の下側長手縁部が後続の紙幣に押されて底面３０ａを側壁３０ｂの方へ移動しやすいように、底面３０ａの成す角度ｂは０度より大きいことが好ましい。一方、角度ｂを大きくしすぎると、これに伴って角度ａを小さくする必要が生じて紙幣集積部の横方向のサイズが大きくなり装置が大型化してしまう。このため、角度ｂは０度より大きく３０度以下であることが好ましい。
【００９４】
角度ａ及び角度ｂの上記範囲設定に伴い、底面３０ａと側壁３０ｂの間の角度ｃは、７０度より大きくかつ１２０度より小さいことが好ましい。また、側壁３０ｂの長さｄは、処理対象とする紙幣のうち短手長さが最も長い最大紙幣に合わせて設定される。例えば、最大紙幣の短手長さが８５ｍｍである場合は側壁３０ｂの長さｄを９３ｍｍにする。
【００９５】
羽根車３３の回転軸中心から集積空間上面までの高さｅは、処理対象とする紙幣のうち短手長さが最も長い最大紙幣に合わせて設定される。集積空間右上から進入してきた紙幣が、反時計回りに回転する羽根車３３によって左方向へ送られる間に集積空間上面に衝突すると、紙幣を整列状態で集積することができず集積不良が生ずる。このため、最大紙幣が羽根車３３の羽根の間に侵入して、最大紙幣の一方の長手縁部が羽根の根元部分に接した状態で羽根車３３が回転する間に、最大紙幣の他方の長手縁部が描く軌跡が、集積空間上面より低い位置となるように高さｅが設定される。
【００９６】
紙幣処理装置１では、回転軸を中心とする外径５０ｍｍの基体部の外周面に３０度間隔で１６枚の羽根が設けられ、各羽根の先端は羽根車３３の回転方向とは逆方向へ延びて、外径１００ｍｍの羽根車３３が形成されている。羽根車３３の中心から見て各羽根の根元から各羽根の先端までの間の中心角は６０度となっている。紙幣処理装置１では、この羽根車３３によって、短手長さが８５ｍｍの最大紙幣を、集積不良を生じさせることなく集積できるように、高さｅを７１．５ｍｍに設定している。
【００９７】
底面３０ａの長さｆは、紙幣集積部に集積する紙幣枚数に応じて設定される。処理対象とする紙幣の中には折れや皺があるものも含まれるため、これを考慮して長さｆが設定される。紙幣処理装置１では、２００枚の紙幣を集積するために長さｆを３３ｍｍに設定している。
【００９８】
［紙幣搬送路の構造］
図１１は、前方から見た下部ユニット１２内の下部搬送路の形状を説明する模式図である。図１１（Ａ）は、図６に示す紙幣処理装置１の下部搬送路の形状を示し、同図（Ｂ）では下部搬送路の形状が異なる例を示している。なお、図１１では、下部搬送路の形状を理解しやすくするため、搬送ベルトやローラは省略して、搬送ガイド２６、２７により搬送路の形状を示している。紙幣は、搬送ガイド２６、２７の間を搬送される。また、図６では図示を省略したが、図１１に示すように、下部搬送路から第１紙幣集積部３０へ分岐した後の分岐搬送路には搬送紙幣検知センサ８６が設けられ、下部搬送路から第２紙幣集積部４０へ分岐した後の分岐搬送路にも搬送紙幣検知センサ８７が設けられている。
【００９９】
図１１（Ａ）に示すように、中間搬送路を下向きに搬送された紙幣１５が向きを変えて右方向へ搬送される下部搬送路では、第１分岐部材１１１が設置された第１分岐点１１１ａを通過する位置までは搬送路が水平に形成されている。紙幣処理装置１では、紙幣を第２紙幣集積部４０へ分岐する第２分岐点１１２ａでも、第１分岐部材１１１と同一形状の分岐部材を第２分岐部材１１２として利用している。
【０１００】
第２分岐部材１１２を揺動させて紙幣を第２紙幣集積部４０又はリジェクト部５０へ搬送するためには、第２紙幣集積部４０への搬送方向１１２ｂとリジェクト部５０への搬送方向１１２ｃとの間の角度を所定角度以上確保する必要がある。言い換えれば、第２分岐点１１２ａの搬送路を水平方向とすると、この水平搬送路と、搬送方向１１２ｂに分岐する搬送路との間の角度が狭くなり、第２分岐部材１１２を利用できなくなる。このため、紙幣処理装置１では、第２分岐点１１２ａの搬送路を下流側の高さが高くなるように上向きに傾斜させて、第２紙幣集積部４０への搬送方向１１２ｂとリジェクト部５０への搬送方向１１２ｃとの間の角度を拡大することにより、第１分岐部材１１１と部品を共通化した第２分岐部材１１２を利用できるようになっている。この結果、第１分岐点１１１ａを第２紙幣集積部４０へ向けて通過する紙幣の搬送方向と、第２分岐点１１２ａをリジェクト部５０へ向けて通過する紙幣の搬送方向とが異なる方向となっている。
【０１０１】
また、紙幣が、第１分岐点１１１ａで分岐された後、分岐搬送路を第１紙幣集積部３０へ向けて搬送される方向と、第２分岐点１１２ａで分岐された後、分岐搬送路を第２紙幣集積部４０へ向けて搬送される方向とが異なる方向となっている。具体的には、第１分岐点１１１ａと第１紙幣集積部３０の羽根車３３の回転軸を結ぶ直線と、前記第２分岐点１１２ａと第２紙幣集積部４０の羽根車４３の回転軸を結ぶ直線とが異なる方向となる。
【０１０２】
また、上述したように、紙幣の搬送が停止した場合でも、紙幣の搬送方向前端が紙幣集積部内の集積空間に露出した状態となるか、又は紙幣の搬送方向後端が下部搬送路上に露出した状態となるように、下部搬送路から集積空間までの距離を紙幣の短手長さより短くする必要がある。これを、第１分岐部材１１１と第２分岐部材１１２を同じ高さに設けて、同一形状の第１紙幣集積部３０及び第２紙幣集積部４０で実現しようとすると、第２紙幣集積部４０の位置が第１紙幣集積部３０より高い位置になってしまう。このため、紙幣処理装置１では、第２分岐部材１１２の設置高さを第１分岐部材１１１の設置高さより下げることにより、搬送距離に係る条件を満たしかつ同一形状の第１紙幣集積部３０及び第２紙幣集積部４０を同じ高さとする位置関係を実現している。
【０１０３】
そして、第１分岐点１１１ａの水平な搬送路と、第２分岐点１１２ａの上向き傾斜した搬送路とを接続するため、第１分岐点１１１ａの下流側で搬送路の高さが低くなるように下向きに傾斜させてから、向きを変えて、上向きに傾斜した搬送路と接続するように下部搬送路を形成している。
【０１０４】
このように、紙幣処理装置１の下部搬送路では、第１分岐点１１１ａを水平方向に通過した紙幣が、水平方向から下向きに傾斜した搬送路を搬送された後、向きを変えて、上り傾斜した搬送路を搬送されて第２分岐点１１２ａに至り、その後、上り傾斜した搬送路をさらにリジェクト部５０へ向けて搬送される。このように湾曲した形状の搬送路で紙幣を確実に搬送するため、紙幣処理装置１では、図６に示すように、下部搬送部を紙幣搬送ベルト９１〜９５によって構成している。
【０１０５】
なお、紙幣処理装置１の下部搬送路は、第１分岐部材１１１と第２分岐部材１１２の部品を共通化するために図１１（Ａ）に示す形状としているが、下部搬送路の形状がこれに限定されるものではなく、図１１（Ｂ）に示す形状であっても構わない。具体的には、水平に延びる搬送路を、第１分岐部材１１１の下流側で、第１分岐部材１１１とは異なる形状の第２分岐部材１１３を利用して、第２紙幣集積部４０又はリジェクト部５０へ搬送する態様であってもよい。
【０１０６】
紙幣処理装置１の内部には制御部が設けられている。上述したホッパ２０からの繰り出し、搬送路での紙幣の搬送、識別部１００による紙幣の識別、識別結果に基づく紙幣の搬送先の決定、この決定に基づく分岐部材１１１、１１２の制御等は制御部によって行われる。また、以下に説明する押出部材３４の移動、紙幣集積部３０、４０からの紙幣の抜き取り検知、操作表示部７０への各種情報の表示、操作者に対する各種情報の報知、複数の紙幣集積部の優先度を設定した優先度設定に基づいて行う紙幣集積部の選択、紙幣集積部の優先度設定と過去に処理された紙幣の種類別処理枚数に基づく各紙幣集積部への紙幣の種類の割り当て等についても、制御部が各部を制御することによって実現される。これらの制御は、制御部が、記憶部に保存された各種の設定内容を参照しながら該記憶部に保存された各プログラムを実行することによって行われるが、制御を実現するための方法は従来技術と同様であるため、以下では、制御部によって実現される各部の機能及び動作を主として説明することとする。
【０１０７】
［紙幣押出機構］
次に、紙幣処理装置１の第１紙幣集積部３０及び第２紙幣集積部４０の集積空間内で、背面側に設けられた押出部材３４、４４について説明する。ホッパ２０に載置された紙幣の処理が完了して、全ての紙幣が第１紙幣集積部３０、第２紙幣集積部４０及びリジェクト部５０のいずれかへ集積された後、第１紙幣集積部３０及び第２紙幣集積部４０では、押出部材３４、４４が前方へ移動することにより、紙幣集積部内に集積された全ての紙幣が前方の開口部へ向けて押し出されるようになっている。押出部材３４、４４の構造及び押出部材３４、４４を移動させるための駆動機構は、第１紙幣集積部３０と第２紙幣集積部４０とで同じであるため、以下では、第１紙幣集積部３０について説明する。
【０１０８】
図１２は、第１紙幣集積部３０の内部に設けられた押出部材３４の構造及び押出部材３４を移動させる駆動機構を示す斜視図である。図１２では、第１紙幣集積部３０の集積空間内で羽根車３３によって送られた紙幣が紙幣面を接触するようにして集積される装置外側（Ｘ軸負方向側）の外側側壁部材１３０と、装置に固定された外側側壁部材１３０に沿って前後方向（Ｙ軸方向）にスライド移動可能に設けられた押出部材３４と、押出部材３４を駆動する駆動機構とを示している。図１２（Ａ）は紙幣集積時の退避位置を示し、同図（Ｂ）は内部に集積された紙幣を押出部材３４によって前方へ押し出すときの押出位置を示している。
【０１０９】
押出部材３４は、背面板３４ａ、底面板３４ｂ及び側面板３４ｃを一体化した構造を有している。背面板３４ａ、底面板３４ｂ、側面板３４ｃは薄板形状を有しており、紙幣集積部の集積空間内を表側として、背面板３４ａ、底面板３４ｂ、側面板３４ｃの裏側には、強度を保つためのリブが設けられている。紙幣処理装置１では、例えば、背面板３４ａ、底面板３４ｂ、側面板３４ｃを樹脂材で一体成形した押出部材３４が利用される。
【０１１０】
背面板３４ａの外周縁部には、鋸歯状の突起が複数設けられており、この突起と噛み合うように、集積空間を形成する壁面の対応する位置に、前後方向に溝が設けられている。押出部材３４が移動する際に、背面板３４ａの突起が壁面の溝内を移動することにより、押出部材３４と壁面との間の隙間に紙幣が入りこまないようになっている。また、側面板３４ｃの面形状を背面板３４ａの突起に合わせて段差を有する形状として、外側側壁部材１３０をこの面形状に合わせた形状とすることで、押出部材３４が移動する際に、側面板３４ｃと外側側壁部材１３０との間の隙間に紙幣が入り込まないようになっている。
【０１１１】
第１紙幣集積部３０には、集積空間内の紙幣の有無を検知するための複数の集積紙幣検知センサが配置されている。集積紙幣検知センサは集積空間内を横切る光を投受光する２つのユニットから成り、例えば、紙幣集積部の一方の外側に設置された投光部から照射した光が集積空間内を通過して、紙幣集積部の他方の外側に設置された受光部によって受光されるようになっている。紙幣集積部に集積されたの紙幣によって投光部からの光が遮られると、受光部で光が受光できなくなることにより紙幣の有無が検知される。紙幣集積部内の紙幣を確実に検知できるように投光部及び受光部の位置を調整して、複数の集積紙幣検知センサが配置されている。なお、押出部材３４には、押出部材３４が移動する際に、集積紙幣検知センサをクリーニングするためのセンサブラシ１４０ａ、１４０ｂが設けられているが、これらについての詳細は後述する。
【０１１２】
図１２（Ａ）に示すように、押出部材３４の側面板３４ｃには集積紙幣検知センサ用の３つの貫通孔３７ａ〜３７ｃが設けられ、外側側壁部材１３０にも集積紙幣検知センサ用の２つの貫通孔１３７ａ、１３７ｂが設けられている。退避位置にある側面板３４ｃの貫通孔３７ｃに対応して、側面板３４ｃの裏側、すなわち紙幣集積部の外側に集積紙幣検知センサが配置されている。また、固定された外側側壁部材１３０の貫通孔１３７ａ、１３７ｂに対応して、外側側壁部材１３０の裏側に、集積紙幣検知センサが配置されている。
【０１１３】
押出部材３４が図１２（Ａ）に示す退避位置にあるときには、側面板３４ｃの貫通孔３７ａ、３７ｂに対応する位置には集積紙幣検知センサは配置されていないが、これらの貫通孔３７ａ、３７ｂは、図１２（Ｂ）に示すように、押出部材３４が押出位置に移動したときに外側側壁部材１３０の貫通孔１３７ａ、１３７ｂと重なるように設けられている。これにより、押出部材３４が押出位置に移動した際にも、外側側壁部材１３０裏側にある集積紙幣検知センサの光が側面板３４ｃによって遮られることがなく、これらの集積紙幣検知センサを利用できるようになっている。
【０１１４】
押出部材３４を前後にスライド移動させる駆動機構は、モータ１２０と、モータ１２０によって回転するカムプレート１２１と、カムプレート１２１によって駆動されるリンクプレート１２２とによって構成されている。カムプレート１２１の回転が、リンクプレート１２２によって押出部材３４の前後運動に変換される。
【０１１５】
押出部材３４は横方向（Ｘ軸方向）及び上下方向（Ｚ軸方向）の動きが規制され、前後方向にのみスライド移動可能に支持されている。押出部材３４の底面板３４ｂの裏側に突出して設けられた軸に、リンクプレート１２２の一端が回転可能に取り付けられている。また、リンクプレート１２２の他端は装置に固定された回転軸１２２ｂに回転可能に取り付けられている。リンクプレート１２２には、細長い貫通孔１２２ａが設けられており、この貫通孔１２２ａには、一端がモータ１２０の回転軸に接続されたカムプレート１２１の他端側の軸が挿入されている。モータ１２０によってカムプレート１２１を回転させると、リンクプレート１２２の貫通孔１２２ａ内で、カムプレート１２１の軸が往復移動する。この往復移動によって、回転軸１２２ｂで支持されたリンクプレート１２２の他端が前後に移動し、この他端に接続された押出部材３４が前後に移動するようになっている。
【０１１６】
また、リンクプレート１２２の軸１２２ｃには、図１２に矢印で示した方向に引張力を作用させる図示しないバネ部材が取り付けられており、モータ１２０の停止時には、バネ部材の引張力によってリンクプレート１２２が動いて、押出部材３４が退避位置に戻るようになっている。
【０１１７】
なお、外側側壁部材１３０の前端は、第１紙幣集積部３０の左側面に設けられた切り欠き３１より背面側にあり、この前端部でＸＺ面に平行な三角形状の平面が形成されている（図１０参照）。この前端部の平面から先の装置前面側の部分１３０ａに、図１に示した開口左側面３５が形成される。
【０１１８】
図１３は、駆動機構により押出部材３４を移動させる方法を示す模式図である。図１３は上方から見た図を示しており、図１３（Ａ）は図１２（Ａ）に対応する退避位置を示し、図１３（Ｂ）は図１２（Ｂ）に対応する押出位置を示している。図１３に示すように、押出部材３４には、図１２に示したセンサブラシ１４０ａ、１４０ｂの他に、３つのセンサブラシ１４０ｃ〜１４０ｅが設けられているが、センサブラシ１４０ａ〜１４０ｅについての詳細は後述する。
【０１１９】
押出部材３４の底面板３４ｂは裏側にリブを有しており、このリブには貫通孔が設けられている。棒状のスライドガイド１２３が、押出部材３４のリブの貫通孔を貫通した状態で装置に固定されている。このスライドガイド１２３が、押出部材３４の前後方向のスライド移動をガイドすると共に、他の方向への移動を規制している。
【０１２０】
また、押出部材３４の底面板３４ｂは裏側に突出した軸１２２ｄを有しており、この軸１２２ｄに、リンクプレート１２２の一端側が回転可能に取り付けられている。装置に固定されたモータ１２０がカムプレート１２１を回転させることにより、リンクプレート１２２が、他端の回転軸１２２ｂを中心として揺動し、この揺動に伴って押出部材３４が装置前後方向（Ｙ軸方向）に移動する。
【０１２１】
紙幣処理装置１には、押出部材３４が退避位置にあることを検知するための退避位置検知センサ１２４が設けられている。また、押出部材３４の背面板３４ａの裏側には、退避位置検知センサ１２４によって利用される遮光板３８が設けられている。図１３（Ａ）に示すように、押出部材３４が退避位置にあるときには、退避位置検知センサ１２４の投光部と受光部の間で投受光される光が遮光板３８によって遮光される。押出部材３４が退避位置にある状態でモータ１２０が回転を開始して、押出部材３４が前方への移動を開始すると、退避位置検知センサ１２４の投光部と受光部の間が透光状態となる。モータ１２０が回転を続けると、前方へ移動する押出部材３４は押出位置に到達する。その後も、モータ１２０は停止することなく回転を続け、この回転に伴って今度は押出部材３４が押出位置から退避位置へ向けて後退を開始する。そして、後退する押出部材３４の背面側にある遮光板３８が退避位置検知センサ１２４の位置に到達すると、再び遮光状態となることにより、退避位置検知センサ１２４は押出部材３４が退避位置に戻ったことを検知する。そして、退避位置検知センサ１２４による検知結果を受けて、モータ１２０の回転が停止する。
【０１２２】
このように、紙幣処理装置１では、回転角度等を検知できない安価なモータ１２０を利用して、モータ１２０の回転軸を同じ方向に回転させながらリンク機構によって押出部材３４を前後に往復移動させることができる。また、押出部材３４に遮光板３８を設けて退避位置検知センサ１２４によって押出部材３４の退避位置を検知することにより、モータ１２０を適切なタイミングで停止させることができる。また、図示しないバネ部材によって、リンクプレート１２２の軸１２２ｃを、図１３に矢印で示す方向で引っ張ることにより、モータ１２０を停止した後、押出部材３４が確実に退避位置に戻るようになっている。
【０１２３】
図１４は、紙幣集積部内での押出部材３４、４４の退避位置及び押出位置を説明するための模式図である。図１４は紙幣処理装置１を右側から見た図を示しており、上部ユニット１１を外観で示し、下部ユニット１２を断面模式図で示している。図１４（Ａ）は第２紙幣集積部４０の押出部材４４が退避位置にある状態を示し、同図（Ｂ）は押出部材４４が押出位置にある状態を示している。なお、図１４では、第２紙幣集積部４０の押出部材４４を例に説明するが、第１紙幣集積部３０の押出部材３４でも同様に動作する。
【０１２４】
図１４（Ａ）に示すように、第２紙幣集積部４０内には２つの羽根車４３ａ、４３ｂが設けられている。ホッパ２０から装置内に繰り出されて装置内を搬送され、紙幣集積部内に排出された紙幣１５は、羽根車４３ａ、４３ｂによって装置右外側へ向けて送られて、傾斜した立位状態で、図中に破線で示したように集積される。
【０１２５】
ホッパ２０に載置された紙幣を識別部１００によって識別して、全ての紙幣を第１紙幣集積部３０、第２紙幣集積部４０及びリジェクト部５０のいずれかへ集積し終えると、制御部による制御によって、押出部材４４による押出動作が自動的に開始される。押出部材４４は、図１４（Ｂ）に示すように、背面側にある羽根車４３ａより背面側で押出位置まで移動する。これにより、集積された紙幣１５の前方側短手が、第２紙幣集積部４０の側面の切り欠き４１より前方に突出した状態となり、傾斜した立位状態にある紙幣の前端を左右からつかんで容易に抜き取ることができる。
【０１２６】
なお、押出部材４４は、押出位置に達した後、図１４（Ａ）に示す退避位置まで戻って自動的に停止する。また、図１４（Ａ）に示すように、第２紙幣集積部４０では、側面に切り欠き４１が形成される一方で、底面は装置前面まで続いている。このため、押出部材４４によって紙幣を押し出した際に、紙幣１５の前方側の短手一部が切り欠き４１から露出する一方で、紙幣１５の底面側の長手は全体が底面に接したままとなる。また、切り欠き４１は、押し出された紙幣１５の短手の一部のみを露出させる形状となっており、押し出された紙幣１５は露出した短手の下側が図１に示す開口右側面４５によって支持されると共に、その後方では紙葉面が集積空間を形成する側壁によって支持された状態となる。これにより、押出部材３４、４４によって押し出された紙幣１５が開口から前方へ落下することがなく、押し出した後も、安定した紙幣１５の集積状態を維持することができる。
【０１２７】
［センサブラシ］
図１５は、第１紙幣集積部３０の押出部材３４を背面側から見た斜視図である。図１５（Ａ）は、第１紙幣集積部３０の紙幣集積部内部で装置外側（Ｘ軸負方向側）の側壁を形成する外側側壁部材１３０と、装置内側（Ｘ軸正方向側）の側壁を形成する内側側壁部材１３１との間で、押出部材３４が退避位置にある状態を示しており、同図（Ｂ）は押出部材３４が押出位置にある状態を示している。
【０１２８】
押出部材３４の裏側リブに設けられた２つの貫通孔３９ａ、３９ｂをスライドガイド１２３が貫通しており、このスライドガイド１２３が、押出部材３４の前後方向のスライド移動をガイドしている。内側側壁部材１３１に設けられた２つの溝１３３ａ、１３３ｂは２つの羽根車３３が設けられる溝を示しており、図１５（Ａ）には示していないが、回転する２つの羽根車３３が、内側側壁部材１３１の上部から進入してくる紙幣を外側側壁部材１３０の方へ送るようになっている。
【０１２９】
第１紙幣集積部３０には、紙幣集積部の内部を通過する光の遮光によって集積された紙幣の有無を検知する４つの集積紙幣検知センサ１５１〜１５４が設けられている。集積紙幣検知センサ１５１は、押出部材３４の側面板３４ｃの裏側に配置されたユニット１５１ａと、内側側壁部材１３１の裏側に配置されたユニット１５１ｂとによって構成される。集積紙幣検知センサ１５２は、外側側壁部材１３０の裏側に配置されたユニット１５２ａと、内側側壁部材１３１の裏側に配置されたユニット１５２ｂとによって構成される。集積紙幣検知センサ１５３は、外側側壁部材１３０の裏側に配置されたユニット１５３ａと、内側側壁部材１３１の裏側に配置されたユニット１５３ｂとによって構成される。集積紙幣検知センサ１５４は、紙幣集積部上面裏側に配置されたユニット１５４ａと、紙幣集積部底面裏側に配置されたユニット１５４ｂとによって構成される。
【０１３０】
第１紙幣集積部３０の集積空間を形成する外側側壁部材１３０、内側側壁部材１３１、上面及び底面と、押出部材３４の側面板３４ｃとには、集積紙幣検知センサ１５１〜１５４に対応する位置に貫通孔が設けられている。例えば、図１５（Ａ）に示すように、集積紙幣検知センサ１５３を構成するユニット１５３ａに対応して外側側壁部材１３０に貫通孔１３７ｂが設けられ、ユニット１５３ｂに対応して内側側壁部材１３１に貫通孔１３８ｂが設けられている。
【０１３１】
また、押出部材３４には、集積紙幣検知センサ１５１〜１５４の一部のユニットの投受光面をクリーニングするセンサブラシ１４０ａ〜１４０ｅが設けられている。具体的には、図１５（Ａ）に示すように、押出部材３４の背面板３４ａの裏側で内側側壁部材１３１側にセンサブラシ１４０ａが設けられており、同図（Ｂ）に示すように、押出部材３４が紙幣を押し出すために押出位置に移動する際に、集積紙幣検知センサ１５１のユニット１５１ｂをクリーニングする。また、押出部材３４が押出位置から退避位置へ戻る際に、再度、センサブラシ１４０ａが集積紙幣検知センサ１５１のユニット１５１ｂをクリーニングする。
【０１３２】
図１６は、押出部材３４に設けられたセンサブラシ１４０ｂ〜１４０ｅによるセンサクリーニングについて説明する図である。押出部材３４の底面板３４ｂの裏側にセンサブラシ１４０ｂが設けられている。押出部材３４が図１６（Ａ）に示す退避位置と同図（Ｂ）に示す押出位置の間を往復する間に、センサブラシ１４０ｂが、集積紙幣検知センサ１５４のユニット１５４ｂをクリーニングする。
【０１３３】
センサブラシ１４０ｃ〜１４０ｅは、押出部材３４の側面板３４ｃの裏側に設けられている。押出部材３４が図１６（Ａ）に示す退避位置と同図（Ｂ）に示す押出位置の間を往復する間に、センサブラシ１４０ｃが集積紙幣検知センサ１５１のユニット１５１ａを、センサブラシ１４０ｄが集積紙幣検知センサ１５２のユニット１５２ａを、センサブラシ１４０ｅが集積紙幣検知センサ１５３のユニット１５３ａをクリーニングする。これらのセンサブラシ１４０ｃ〜１４０ｅについても、押出部材３４が図１６（Ａ）に示す退避位置と同図（Ｂ）に示す押出位置の間を往復する間に、集積紙幣検知センサ１５１〜１５３の各ユニット１５１ａ〜１５３ａをクリーニングする。
【０１３４】
図１５に示す集積紙幣検知センサ１５２のユニット１５２ｂと、集積紙幣検知センサ１５３のユニット１５３ｂと、集積紙幣検知センサ１５４のユニット１５４ａとについては、これらをクリーニングするセンサブラシが存在しない。ユニット１５３ｂは第１紙幣集積部３０の開口部に近い位置にあるため、開口部から手を入れて、内側側壁部材１３１の貫通孔１３８ｂからクリーニングすることができる。ユニット１５４ａは、投受光面が下向きになるように設置されているため、他のユニットに比べて埃やゴミが付着し難くクリーニングの頻度が少なくて済む。ユニット１５２ｂは２つの羽根車３３の間にあり、他のユニットに比べてクリーニング作業を行い難い。このため、ユニット１５２ｂに対応して内側側壁部材１３１を左右方向（Ｘ軸方向）に貫通した貫通孔１３８ａを、上下方向（Ｚ軸方向）に貫通した形状とすることにより、埃やゴミが貯まりにくいようにしている。
【０１３５】
なお、内側側壁部材１３１では、集積空間を形成する側壁部分の前端が、装置前面の窪み６０より背面側にあり、この前端部でＸＺ面に平行な略三角形状の平面が形成されている（図１０参照）。この前端部の平面から先の装置前面側の部分１３１ｂに、図１に示した開口右側面３２が形成される。
【０１３６】
図１７は、図１５及び図１６に示した集積紙幣検知センサ１５１〜１５４の配置角度を示す模式図である。図１７に示すように、第１紙幣集積部３０内では、紙幣１５の長手縁部が底面に接し、紙幣面が外側側壁部材１３０に沿うようにして、傾斜した立位状態で紙幣１５が集積される。
【０１３７】
集積紙幣検知センサ１５４は、ユニット１５４ａ、１５４ｂが集積空間を形成する上面及び底面の貫通孔に対応する位置で、鉛直方向に対向するように設けられている。同じ高さで装置前後方向にずらして配置されている２つの集積紙幣検知センサ１５１、１５３は、ユニット１５１ａ及び１５１ｂと、ユニット１５３ａ及び１５３ｂとが、水平方向に対向して設けられている。また、装置前後方向で、集積紙幣検知センサ１５１と１５３との間に配置されている集積紙幣検知センサ１５２を構成するユニット１５２ａ、１５２ｂは、外側側壁部材１３０の壁面に垂直な方向に対向して設けられている。
【０１３８】
［羽根車の設置位置］
図１８は、紙幣処理装置１の搬送路を平面図に展開して、搬送路を構成するローラと羽根車３３、４３の配置関係を示した模式図である。図６に示したように、紙幣処理装置１内の搬送路は、ホッパ２０から装置内に繰り出された紙幣が左方向に搬送される上部搬送路と、識別部１００を通過した紙幣が搬送方向を変えて下方向に搬送される中間搬送路と、さらに搬送方向を変えて右方向に搬送される紙幣が識別部１００による識別結果に基づいて第１紙幣集積部３０、第２紙幣集積部４０及びリジェクト部５０のいずれかへ搬送される下部搬送路とを含んでいる。図１８には、左側から上部搬送路、中間搬送路及び下部搬送路を示し、右端に、第１紙幣集積部３０の羽根車３３及び第２紙幣集積部４０の羽根車４３を示している。
【０１３９】
図８に示したように上部ユニット１１を上方へ開いたときに、上部ユニット１１側に含まれる搬送路部分は、図１８に示すように幅１９０ｍｍであるのに対し、下部ユニット１２側に残る搬送路部分は幅２００ｍｍとなっている。上部ユニット１１を上方へ開いたときには、上部搬送路は上部ユニット１１側に含まれる。縦方向に紙幣を搬送する中間搬送路は左側と右側とに分離され、上部ユニット１１を開いた際には、右側部分が上部ユニット１１に含まれ、左側部分は下部ユニット１２側に残る。また、下部搬送路も上側と下側とに分離され、上部ユニット１１を開いた際には、上側部分が上部ユニット１１に含まれ、下側部分は下部ユニット１２側に残る。
【０１４０】
図１８に中間搬送路として示した範囲には、上部ユニット１１を開いた際に下部ユニット側に残る中間搬送路の左側部分を示している。また、下部搬送路として示した範囲には、上部ユニット１１を開いた際に下部ユニット側に残る下部搬送路の下側部分を示している。ただし、中間搬送路の右側部分のローラと左側部分のローラとは対向配置されており、下部搬送路でも上側部分のローラと下側部分のローラとは対向配置されているので、各搬送路を形成する全てのローラの配置位置が図１８に示す通りとなる。
【０１４１】
図１８に示したように、上部搬送路の各ローラは、幅１９０ｍｍの搬送路の幅方向の中心線Ｃ１に対して対称に配置されている。また、中間搬送路及び下部搬送路でも、各ローラは、幅２００ｍｍの搬送路の幅方向の中心線Ｃ１に対して対称に配置されている。なお、中心線Ｃ１は、上部搬送路、中間搬送路及び下部搬送路とで共通する直線となっているので、図１８に示す紙幣搬送用の全てのローラは、各ローラの軸方向中心線が、中心線Ｃ１に対して対称な直線Ｃａ又はＣｂ上に重なる位置に配置されている。
【０１４２】
第１紙幣集積部３０の２つの羽根車３３ａ、３３ｂは、背面側の羽根車３３ａの回転軸方向の中心線が、搬送路で紙幣を搬送するローラと同じ直線Ｃａ上となるように配置されている。これに対して、開口側の羽根車３３ｂは、回転軸方向の中心線が、搬送路で紙幣を搬送するローラが配置された直線Ｃｂよりも搬送路の中心線Ｃ１から離れた位置、すなわち紙幣集積部の開口に近い位置となるように配置されている。同様に、第２紙幣集積部４０の２つの羽根車４３ａ、４３ｂについても、背面側の羽根車４３ａが、回転軸方向の中心線が直線Ｃａ上となるように配置されているのに対して、開口側の羽根車４３ｂは、回転軸方向の中心線が直線Ｃｂ上よりも開口に近い位置となるように配置されている。具体的には、紙幣集積部内部にある開口側の羽根車３３ｂ、４３ｂは、回転軸方向の中心線が、搬送路の中心線Ｃ１から距離Ｌ２（Ｌ１＜Ｌ２）離れた直線Ｃ２上となるように配置されている。
【０１４３】
図１９は、搬送路の中心線Ｃ１に対する開口側の羽根車３３ｂの配置位置を説明するための模式図である。図１９は、搬送路及び第１紙幣集積部３０を上方から見た位置関係を模式的に示している。なお、第２紙幣集積部４０の開口側にある羽根車４３ｂについては、図１９に示す配置を左右反転したものと同一となるため、第２紙幣集積部４０の羽根車４３ｂに関する説明は省略して、第１紙幣集積部３０の羽根車３３ｂについて説明する。
【０１４４】
搬送路の中心線Ｃ１から開口側の羽根車３３ａの回転軸方向の中心線Ｃ２までの距離Ｌ２は、長手の長さが最も短い最小紙幣に基づいて設定されている。具体的には、最小紙幣の長手長さがＬ４である場合に、図１９に示すように、最小紙幣の短手が搬送路の開口側側壁に接した状態で、この開口側側壁からの距離Ｌ３がＬ４の半分より短くなるように、距離Ｌ２が設定されている。言い換えれば、紙幣集積部の開口側の羽根車３３ｂの配置位置は、最小紙幣が紙幣集積部の開口側に最も近い位置に寄った状態で搬送されてきた場合でも、この最小紙幣の長手方向の中心線上よりも開口側になるように設定されている。
【０１４５】
搬送路を搬送されて紙幣集積部内に排出された紙幣は、羽根車３３ａ、３３ｂによって受け止められるが、このとき、羽根車３３ｂが紙幣の長手方向の中心線よりも背面側で紙幣を受けると、紙幣が開口部側へ傾いて紙幣集積部開口から装置外側へ飛び出してしまう可能性がある。このため、羽根車３３ａ、３３ｂで受けた紙幣が開口側へ傾くことがないように、処理対象とする大半の紙幣を長手方向中心よりも開口側で受けるように、羽根車３３ｂが配置されている。
【０１４６】
なお、羽根車３３ａ、３３ｂによって確実に紙幣を受け止めるためには、２つの羽根車３３ａ、３３ｂを搬送路の中心線Ｃ１に対して対称に中心線Ｃ１から離して設置すればよいが、背面側の羽根車３３ａを中心線Ｃ１から離して設置すると、押出部材３４の前面側への移動量が制限される。このため、紙幣処理装置１では、開口側の羽根車３３ｂを中心線Ｃ１から離して設置する一方で、背面側の羽根車３３ａは中心線Ｃ１に近い位置に設置している。このように、紙幣処理装置１は、搬送路の中心線Ｃ１に対して、２つの羽根車３３ａ、３３ｂを非対称に配置することにより、第１紙幣集積部３０から紙幣が飛び出すのを防止しながら、押出部材３４による押出量を確保する構造となっている。
【０１４７】
また、図１９に示したように、第１紙幣集積部３０の外側側壁部材１３０の前端より前面側の部分１３０ａに図１に示した開口左側面３５が形成され、内側側壁部材１３１の前端より前面側の部分１３１ａに図１に示した開口右側面３２が形成される。
【０１４８】
［操作表示部の表示内容］
紙幣処理装置１では、大型の操作表示部７０を利用して、紙幣処理に関する情報を容易に認識できるように表示する点に１つの特徴を有している。なお、図２０〜図２２では各文字を白又は黒で示すが、実際の操作表示部７０では各情報が色分けされてカラーで表示される。
【０１４９】
図２０は、紙幣処理時に操作表示部７０に表示される画面例を示す図である。まず、図２０（Ａ）を参照しながら、画面の基本構成及び表示内容について説明する。タッチパネル式の液晶表示装置から成る操作表示部７０は、各種情報を入力する操作部としても利用されるため、画面上部の帯状領域及び画面下部の帯状領域に、図２０（Ａ）に示すように各種ボタン類２０４、２０５を表示するようになっている。
【０１５０】
操作用のボタン２０４、２０５を表示する上下の帯状領域を除いた情報表示領域で、左下に第１表示領域２０１が設けられ、右下に第２表示領域２０２が設けられている。第１表示領域２０１は、第１紙幣集積部３０に集積された紙幣に関する情報を表示するための領域で、第２表示領域２０２は、第２紙幣集積部４０に集積された紙幣に関する情報を表示するための領域である。第１表示領域２０１と第２表示領域２０２の間で、第１表示領域２０１及び第２表示領域２０２の上側に、第１紙幣集積部３０及び第２紙幣集積部４０に集積された紙幣の合計に関する情報を表示する合計表示領域２０３が設けられている。
【０１５１】
例えば、第１紙幣集積部３０に集積された紙幣枚数が第１表示領域２０１に表示され、第２紙幣集積部４０に集積された紙幣枚数が第２表示領域２０２に表示される。そして、合計表示領域２０３には、下側に第１紙幣集積部３０に集積された紙幣と第２紙幣集積部４０に集積された紙幣の合計枚数が表示され、上側に第１紙幣集積部３０に集積された紙幣と第２紙幣集積部４０に集積された紙幣の合計金額が表示される。
【０１５２】
第１表示領域２０１の右側には、第１紙幣集積部３０で行われるバッチ処理のバッチ枚数及びバッチ成立回数から成るバッチ情報が表示される。第２表示領域２０２の左側でも、同様に、第２紙幣集積部４０で行われるバッチ処理のバッチ枚数及びバッチ成立回数を示すバッチ情報が表示される。具体的には、図２０（Ａ）に示すバッチ情報の「１００×０」は、「１００」がバッチ枚数を示し、「０」がバッチ成立回数を示しているが詳細は後述する。
【０１５３】
なお、図２０（Ａ）では、第１表示領域２０１及び第２表示領域２０２の領域内部と外部の境界と、合計表示領域２０３の上部で合計金額を表示する領域の領域内部と外部の境界とを黒線で示しているが、実際の画面上では、これらの境界は色の違いによって表れている。具体的には、例えば、第１表示領域２０１及び第２表示領域２０２では、白色の背景に青色の文字が表示される。また、合計表示領域２０３の上側では灰色の背景に青色の文字が表示され、下側では青色の背景に白色の文字が表示される。また、第１表示領域２０１、第２表示領域２０２及び合計表示領域２０３の外側を薄い灰色で表示する。この結果、第１表示領域２０１の領域内部と外部との間に色の違いによる境界が表れる。同様に、第２表示領域２０２及び合計表示領域２０３でも領域内部と外部との間に色の違いによる境界が表れる。
【０１５４】
また、図２０（Ａ）に示すように、画面上で、第１表示領域２０１及び第２表示領域２０２内の文字が最も大きく表示され、第１紙幣集積部３０に集積された紙幣に関する情報及び第２紙幣集積部４０に集積された紙幣に関する情報を容易に認識できるようになっている。
【０１５５】
以下では、千円札の束をホッパ２０に載置して、第１紙幣集積部３０では１００枚の千円札正券が集積される度にこれを装置外へ抜き取るバッチ処理を行い、第２紙幣集積部４０では千円札損券が集積される度にこれを装置外へ抜き取るバッチ処理を行う場合を例に説明する。まず、操作表示部７０を操作して、バッチ枚数及びバッチ完了通知回数を設定する。バッチ完了通知回数とは、バッチ処理が所定回数に達したことを通知するための設定である。
【０１５６】
バッチ処理の処理対象とする紙幣の種類、バッチ枚数、バッチ完了通知回数等の設定は、記憶部にパターンとして記憶させることが可能となっており、次に同じ処理を行う際には、設定済パターンを呼び出すだけでよい。なお、紙幣の種類、バッチ枚数及びバッチ完了通知回数は、第１紙幣集積部３０及び第２紙幣集積部４０で同じ設定とすることもできるし、異なる設定とすることもできる。例えば、第１紙幣集積部３０では一万円札５０枚のバッチ処理が５回成立する度に通知するよう設定して、第２紙幣集積部４０では千円札１００枚のバッチ処理が１０回成立する度に通知するといった設定を行うことも可能である。
【０１５７】
操作表示部７０を操作して、第１紙幣集積部３０では、集積する紙幣の種類を千円札正券、バッチ枚数を１００枚、バッチ完了通知回数を５回に設定する。そして、第２紙幣集積部４０では、集積する紙幣の種類を千円札損券、バッチ枚数を１００枚、バッチ完了通知回数を５回に設定する。これらの設定操作を終えると、操作表示部７０の画面では、図２０（Ａ）に示すように、第１表示領域２０１、第２表示領域２０２及び合計表示領域２０３に表示された枚数及び金額が０（ゼロ）にリセットされて待機状態となる。また、第１表示領域２０１の右側には、第１紙幣集積部３０でのバッチ枚数が「１００」に設定され、第１紙幣集積部３０での現在のバッチ成立回数が「０」であることを示す「１００×０」のバッチ情報が表示される。同様に、第２表示領域２０２の左側には、第２紙幣集積部４０でのバッチ枚数が「１００」に設定され、第２紙幣集積部４０での現在のバッチ成立回数が「０」であることを示す「１００×０」のバッチ情報が表示される。
【０１５８】
ホッパ２０に多数の千円札を載置してバッチ処理を開始して、第１紙幣集積部３０に集積された千円札正券の枚数がバッチ枚数の１００枚に達すると、紙幣処理装置１内での紙幣の搬送が停止される。このとき、操作表示部７０の画面は、図２０（Ｂ）に示す表示となる。合計表示領域２０３には、第１紙幣集積部３０に集積された紙幣と、第２紙幣集積部４０に集積された紙幣の合計金額及び合計枚数が表示される。
【０１５９】
また、画面上の第１表示領域２０１では、領域内の背景を青色で表示して、第１紙幣集積部３０に集積された紙幣の枚数である「１００」の文字が白色で表示される。すなわち、集積された紙幣枚数がバッチ枚数に達すると、枚数表示の表示態様が変化する。また、バッチ処理が成立したことにより、第１表示領域２０１の右側に表示されたバッチ情報が更新されて「１００×１」の表示となる。なお、バッチ処理が成立したとみなしてバッチ情報を更新するタイミングについては、バッチ枚数分の紙幣が集積されたタイミングであってもよいし、集積されたバッチ枚数分の紙幣の抜き取りを検知したタイミングのいずれかに設定できるようになっている。
【０１６０】
紙幣処理装置１の第１紙幣集積部３０及び第２紙幣集積部４０の内部には、第１表示領域２０１及び第２表示領域２０２での表示に対応して発光するＬＥＤ等の発光素子が設けられている。バッチ処理により、第１紙幣集積部３０に集積された１００枚の紙幣の抜き取りを待つ状態になると、操作者に紙幣の抜き取りを促すと共に、抜き取り操作の対象となる紙幣集積部が第１紙幣集積部３０であることを報知するため、第１紙幣集積部３０内の発光素子が点滅する。
【０１６１】
このとき、操作表示部７０の第１表示領域２０１の背景を青色で表示して、第１紙幣集積部３０内の発光素子を同じ青色で点滅させる。操作者は、操作表示部７０の表示と第１紙幣集積部３０内での発光素子の点滅により、第１紙幣集積部３０に集積された紙幣の枚数がバッチ枚数に達したことを認識することができる。操作者が、第１紙幣集積部３０に集積された１００枚の紙幣を抜き取ると、紙幣処理装置１では、集積紙幣検知センサ１５１〜１５４によって第１紙幣集積部３０内の紙幣が抜き取られたことが認識され、自動的に、紙幣処理が再開される。
【０１６２】
こうして、第１紙幣集積部３０又は第２紙幣集積部４０に集積された紙幣の枚数が１００枚に達する度に、操作表示部７０の画面上では、対応するバッチ情報に含まれるバッチ成立回数が１ずつカウントアップされる。
【０１６３】
そして、例えば、第１紙幣集積部３０でのバッチ成立回数が、バッチ完了通知回数として設定された５回に達すると、図２０（Ｃ）に示す画面表示となる。第１紙幣集積部３０のバッチ情報が「１００×５」に更新されて、バッチ情報の表示の上側に、バッチ完了通知回数に達したことを示すアイコンが表示される。また、第１紙幣集積部３０内の発光素子が点滅するが、バッチ完了通知回数に達した場合には、通常のバッチ成立時とは異なる態様で点滅する。具体的には、例えば、通常のバッチ成立時と、バッチ完了通知回数に達したときとで、１秒間の点滅回数を変更したり、点滅する発光素子の発光色を変更したりする。
【０１６４】
なお、画面上の第１表示領域２０１には第１紙幣集積部３０に集積されている紙幣枚数が表示されるが、合計表示領域２０３では、バッチ処理を開始してから、第１紙幣集積部３０及び第２紙幣集積部４０に集積された紙幣全ての合計金額及び合計枚数が表示される。図２０（Ｃ）の例では、第２紙幣集積部４０に集積された紙幣が存在しないため、第１紙幣集積部３０で成立した５回分のバッチの合計金額と合計枚数とが表示されている。
【０１６５】
バッチ成立回数がバッチ完了通知回数に到達すると、図２０（Ｄ）に示すように、第１表示領域２０１の右側に表示されたバッチ情報のバッチ成立回数が「０」にリセットされて「１００×０」の表示となる。そして、バッチ回数をカウントして、５回に達する度にこれを通知する処理が繰り返される。なお、合計表示領域２０３では、バッチ成立回数がリセットされた後も、リセット前に処理された紙幣を含む情報が表示される。
【０１６６】
なお、バッチ情報を更新するタイミングが、紙幣の抜き取りタイミングに設定されている場合は、集積枚数が１００枚に達した後、紙幣が抜き取られたタイミングでバッチ成立回数がカウントアップされる。そして、バッチ成立回数がバッチ完了通知回数に到達した際には、紙幣が抜き取られたタイミングでバッチ成立回数がカウントアップして「１００×５」の表示となる。紙幣が抜き取られると、これが検知されて、自動的に紙幣処理が開始されるが、画面上では「１００×５」の表示が所定時間（例えば５秒間）維持された後、バッチ成立回数がリセットされて「１００×０」の表示となる。
【０１６７】
このように、紙幣処理装置１では、予め設定したバッチ回数に達したことが通知されるので、例えば、１００枚の紙幣の束を５束ずつ梱包するといった作業を行う際も、操作者は、紙幣集積部に集積された１００枚の紙幣を抜き取る作業を続けるだけでよい。バッチ成立回数を数えなくても５束に達したことが通知されるので、この通知を受けて梱包作業を行えばよい。これにより操作者は作業を容易に進めることができる。
【０１６８】
次に、紙幣処理装置１でリジェクト紙幣が発生した際の操作表示部７０の画面表示について説明する。図２０に示したように、操作表示部７０で紙幣処理を開始する際に表示される画面には、リジェクト部５０に関する情報を表示する領域は含まれていない。紙幣処理を進めるうちに、リジェクト紙幣が発生すると、画面上に、リジェクト紙幣に関する情報を表示するための部分領域が設定される。
【０１６９】
図２１は、リジェクト紙幣が発生した場合に操作表示部７０に表示される画面例を示す図である。例えば、第１紙幣集積部３０に２３枚の千円札の正券を集積して、第２紙幣集積部４０に１０枚の千円札の損券を集積して、合計枚数が３３枚となった後に識別された紙幣がリジェクト紙幣であった場合に、図２１（Ａ）に示す画面表示となる。
【０１７０】
画面上には、第１紙幣集積部３０に関する情報を表示する第１表示領域２０１と、第２紙幣集積部４０に関する情報を表示する第２表示領域２０２と、リジェクト部５０に関する情報を表示するリジェクト表示領域２０６とが、前面から見た紙幣処理装置１の第１紙幣集積部３０、第２紙幣集積部４０及びリジェクト部５０の配置位置に対応する位置関係で表示される。具体的には、図１等に示すように、紙幣処理装置１では、前面下部の左側に第１紙幣集積部３０、前面下部の右側に第２紙幣集積部４０、第２紙幣集積部４０の上側にリジェクト部５０が設けられているので、操作表示部７０で情報を表示する領域の左下に第１表示領域２０１、右下に第２表示領域２０２、第２表示領域２０２の上側にリジェクト表示領域２０６が設けられる。なお、図２１では、リジェクト表示領域２０６の領域内部と外部の境界を黒線で示しているが、第１表示領域２０１及び第２表示領域２０２と同様に、実際の画面上では、周囲の色との違いによって境界が表れている。
【０１７１】
リジェクト表示領域２０６は、第１表示領域２０１及び第２表示領域２０２に比べて小さく表示される。また、第１表示領域２０１及び第２表示領域２０２では、領域内部に表示された情報が紙幣集積部３０、４０に集積された紙幣の情報であることを示す表示はないが、リジェクト表示領域２０６では、領域の下側に、リジェクト紙幣に関する情報であることを示すために「ＲＥＪＥＣＴ」の文字が表示される。
【０１７２】
リジェクト紙幣の中には、異なるリジェクト要因によってリジェクトされた紙幣が含まれる。例えば、ホッパ２０から搬送路に繰り出された１枚の紙幣を識別部１００によって識別した結果、識別できないと判定された紙幣、真の紙幣ではないと判定された偽札、偽札の可能性があると判定された紙幣、斜行された状態で搬送されているために紙幣集積部への分岐及び集積を正常に行えないと判定された紙幣等がリジェクト紙幣としてリジェクト部５０へ搬送される。また、識別部１００又は搬送紙幣検知センサ８０〜８４によって、複数の紙幣が重なった状態で搬送されている重送、連続して搬送される紙幣の搬送方向の間隔が所定値以下の状態で搬送されている連鎖等が検知された場合にも、これらの紙幣がリジェクト紙幣としてリジェクト部５０へ搬送される。この他、紙幣のサイズや厚みが所定範囲内にない場合にも、リジェクト紙幣としてリジェクト部５０へ搬送される。
【０１７３】
紙幣処理装置１では、識別部１００及び搬送紙幣検知センサ８０〜８４によって、搬送路を搬送される紙幣のサイズや厚みを検知することにより、複数の紙幣が一部又は全部が重なった状態で搬送される重送の他、１枚の紙幣が複数に分離されたうちの一部の紙片が搬送されていることを検知することもできる。すなわち、搬送される紙幣が１枚の紙幣であるか否かを判定することができる。このため、リジェクト紙幣の枚数を確定できる間は、リジェクト表示領域２０６に、リジェクト部５０に集積されたリジェクト紙幣の合計枚数を表示する。
【０１７４】
一方、重送、連鎖、厚み異常、サイズ異常等、搬送される紙幣が１枚の紙幣であると判定できない場合、すなわち枚数を確定できないリジェクト紙幣が発生すると、リジェクト表示領域２０６の表示内容を変更する。具体的には、リジェクト枚数に代えて、リジェクト件数を表示する。例えば、重送が検知された場合には、リジェクト件数が１回とカウントされる一方で、この重送が、何枚の紙幣が重なった状態で搬送されているのかを判定することができず紙幣枚数を確定することができない。このため、紙幣処理装置１では、リジェクト枚数に代えてリジェクト件数を表示する。
【０１７５】
また、紙幣処理装置１では、リジェクト表示領域２０６に表示する情報が、リジェクト枚数及びリジェクト件数のいずれを表示したものであるかを認識できるように、リジェクト枚数とリジェクト件数とが異なる表示態様で表示される。
【０１７６】
図２１（Ｂ）は、リジェクト件数が表示された画面例を示している。このように、リジェクト件数を表示する際には、リジェクト表示領域２０６内に、エクスクラメーションマーク（感嘆符）を表示すると共に、リジェクト件数を括弧内に表示する。リジェクト表示領域２０６内での表示態様を変更して、リジェクト枚数を図２１（Ａ）のように表示して、リジェクト件数を同図（Ｂ）のように表示することにより、操作者は、リジェクト表示領域２０６に表示された情報が、リジェクト枚数及びリジェクト件数のいずれであるかを容易に認識することができる。
【０１７７】
なお、紙幣枚数を確定できるリジェクトと、紙幣枚数を確定できないリジェクトの両方が発生した場合には、確定したリジェクト枚数と、紙幣枚数を確定できないリジェクト件数との合計がリジェクト件数として表示される。
【０１７８】
具体的には、例えば、第１紙幣集積部３０に２３枚の紙幣が集積されて、第２紙幣集積部４０に１０枚の紙幣が集積された後、紙幣枚数を確定できるリジェクトが発生した場合には、図２１（Ａ）に示すように、リジェクト表示領域２０６には、リジェクト枚数の「１」が表示される。そして、続けてリジェクトが発生して、このリジェクトが、重送等、枚数を確定できないものであった場合には、図２１（Ｂ）に示すように、リジェクト表示領域２０６にエクスクラメーションマークを表示すると共に、先のリジェクト枚数「１」に、続いて検知されたリジェクト件数「１」を加算した「２」の表示を括弧内に表示する。
【０１７９】
このように、リジェクト紙幣の枚数が確定できる場合にはリジェクト枚数を表示することにより、処理完了後に、合計表示領域２０３に表示された合計枚数と、リジェクト表示領域２０６に表示されたリジェクト枚数とによって、処理された紙幣の合計枚数を確認することができる。また、リジェクト枚数が確定できない場合には、リジェクト件数の表示となり、処理された紙幣の合計枚数を正確に算出することはできないが、紙幣の合計枚数の目安となる情報を得ることができる。
【０１８０】
リジェクト部５０でも、操作者にリジェクト紙幣の抜き取りを促す場合には、操作表示部７０の画面上で、リジェクト表示領域２０６の表示が変化する。具体的には、図２１（Ｃ）に示すように、第１紙幣集積部３０の紙幣の集積枚数及び第２紙幣集積部４０の紙幣の集積枚数がバッチ枚数に達した場合と同様に、リジェクト表示領域２０６の領域内の背景が青色で表示されて文字が白色で表示される。
【０１８１】
また、リジェクト部５０の集積空間内にも、リジェクト表示領域２０６の表示に対応して発光するＬＥＤ等の発光素子が設けられている。リジェクト部５０からリジェクト紙幣が抜き取られるのを待つ待機状態になると、リジェクト部５０内の発光素子を点滅させる。このとき、操作表示部７０のリジェクト表示領域２０６の背景を青色で表示して、リジェクト部５０内の発光素子を同じ青色で点滅させる。操作者は、操作表示部７０の表示とリジェクト部５０内での発光素子の点滅により、リジェクト部５０からリジェクト紙幣を抜き取る必要があることを認識することができる。
【０１８２】
なお、操作表示部７０で第１紙幣集積部３０、第２紙幣集積部４０及びリジェクト部５０に関する情報の表示態様を変更することにより紙幣の抜き取りを促す報知処理と、第１紙幣集積部３０、第２紙幣集積部４０及びリジェクト部５０で発光素子を点滅させることにより紙幣の抜き取りを促す報知処理とは、集積枚数が、バッチ枚数、集積上限枚数（フル又はニアフル枚数）等の所定枚数に達した場合の他、紙幣処理が完了した際にも行われる。
【０１８３】
紙幣処理装置１では、紙幣処理を行っている途中でエラーが発生した場合に、戻し処理が行われる場合がある。戻し処理とは、エラーからの復旧後に、第１紙幣集積部３０及び第２紙幣集積部４０に集積されていた紙幣をエラー発生時の状態に戻すための処理である。
【０１８４】
具体的には、エラーが発生して装置が停止すると、図７及び図８に示したように、装置内の搬送路を露出させて、搬送路に残留する全ての紙幣を取り除く。そして、紙幣処理装置１で紙幣処理を再開できる状態になると、装置内の搬送路から取り出した紙幣と、エラー発生時に第１紙幣集積部３０及び第２紙幣集積部４０に集積されていた紙幣とをホッパ２０に載置して、戻し処理を開始する。紙幣処理装置１では、エラー発生時に第１紙幣集積部３０及び第２紙幣集積部４０のそれぞれに集積されていた紙幣に関する情報が保存されている。この情報を利用して、ホッパ２０に載置された紙幣を第１紙幣集積部３０及び第２紙幣集積部４０に分類して集積することによりエラー発生時の集積状態を再現する。
【０１８５】
図２２は、戻し処理の実行時に操作表示部７０に表示される画面例を示す図である。例えば、エラー発生時に、第２紙幣集積部４０に２１枚の紙幣が集積されていた場合に、操作表示部７０で戻し処理を開始する操作を行うと、画面上の第２表示領域２０２には、図２２に示すように、第２紙幣集積部４０に集積されていた紙幣枚数「２１」が表示される。ただし、通常の紙幣処理時とは異なる表示態様で表示される。
【０１８６】
具体的には、例えば、第２表示領域２０２の領域内部と外部との境界線を赤色の線で強調表示すると共に、領域内の文字を赤色で表示する。このように、通常の紙幣処理時には表示されない色で境界線を表示したり、異なる色で文字を表示したりすることにより、操作者は通常の紙幣処理ではないことを容易に認識することができる。
【０１８７】
図２２に示す画面表示の状態から戻し処理を開始して、第２紙幣集積部４０へ順に紙幣が集積されると、これに伴って、第２表示領域２０２の枚数表示が１ずつカウントダウンされて、第２紙幣集積部４０に集積された紙幣の枚数がエラー発生時の２１枚に達した所で、枚数表示が「０」となる。戻し処理が完了すると、続いて、エラーによって中断していた紙幣処理が再開されて、第２表示領域２０２の表示が通常表示に戻る。そして、紙幣処理再開後に、第２紙幣集積部４０に、２２枚目となる次の紙幣が集積された所で、第２表示領域２０２の枚数表示が「０」から「２２」に変化する。
【０１８８】
このように、紙幣処理装置１では、実行中の紙幣処理に関する情報を、容易に認識できるように操作表示部７０に表示するので、操作者は、操作表示部７０の情報を確認しながら紙幣処理を容易に進めることができる。例えば、紙幣集積部３０、４０に集積された枚数だけでなく、バッチ枚数及びバッチ成立回数等を表示して、バッチ成立回数が所定回数に達した場合には、これが通知されるので、容易にバッチ処理を進めることができる。また、識別計数された紙幣に関する情報だけではなく、リジェクト紙幣に関する情報を表示することができるので、紙幣処理の完了時に、処理された紙幣の合計枚数に関する情報を認識することができる。
【０１８９】
また、操作表示部７０では、複数の紙幣集積部に関する情報が、操作表示部７０を操作する操作者から見た各紙幣集積部の位置関係に合わせて、画面上の対応する位置に表示されるので、操作者は、画面上の情報がいずれの紙幣集積部に関する情報であるかを容易に認識することができる。
【０１９０】
また、各紙幣集積部には発光素子が設けられており、例えば、紙幣集積部に集積された紙幣の枚数が所定枚数に達して紙幣の抜き取りが必要になったタイミングで、抜き取り作業が必要な紙幣集積部の発光素子が点滅するので、操作者は、紙幣の抜き取りが必要になったことや、抜き取りが必要な紙幣集積部の位置を容易に認識することができる。また、操作表示部７０の画面上で紙幣の抜き取りが必要な紙幣集積部の情報を表示する表示領域の背景色と同じ色で、紙幣の抜き取りが必要な紙幣集積部の発光素子を発光させるので、画面上の情報と紙幣集積部との対応を容易に認識することができる。
【０１９１】
［紙幣集積部の優先度設定］
紙幣処理装置１では、第１紙幣集積部３０及び第２紙幣集積部４０の優先度を設定することができる。例えば、識別部１００によって識別された紙幣が、第１紙幣集積部３０及び第２紙幣集積部４０のいずれに集積してもよい紙幣である場合に、予め設定された優先度設定に基づいて紙幣の搬送先が決定される。
【０１９２】
図２３は、紙幣処理装置１に設けられた複数の紙幣集積部３０、４０の優先度設定を示す図である。このように、第１紙幣集積部３０及び第２紙幣集積部４０の優先度をパターンとして設定して保存しておくことにより、紙幣処理時にパターンを選択して優先度を設定することができる。なお、図２３には示していないが、優先度の他に、金種、正損、新旧、真偽等の情報をパターンに登録することも可能となっている。
【０１９３】
例えば、銀行の窓口で、ホッパ２０及びリジェクト部５０が設けられた装置右側面を窓口の外に居る顧客へ向けて紙幣処理装置１を設置する場合に、図２３に示すパターン２を選択する。この結果、紙幣の搬送先として、顧客に近い位置にある第２紙幣集積部４０が優先されるので、顧客は、紙幣が集積される様子を容易に確認することができる。また、例えば、紙幣処理装置１の操作者が左利きである場合には、図２３に示すパターン１を選択して、第１紙幣集積部３０を優先するように切り換えて紙幣処理を行うことで、操作者は、第１紙幣集積部３０に集積された紙幣を、利き手である左手で抜き取ることが可能となる。
【０１９４】
紙幣処理装置１が多数の紙幣集積部を有する場合には、紙幣集積部の優先度設定による顕著な効果を得ることができる。以下では、１６個の紙幣集積部を有する紙幣処理装置で、優先度設定に基づいて、各紙幣集積部に集積する紙幣の種類を割り当てる例を説明する。
【０１９５】
図２４は、１６個の紙幣集積部を有する紙幣処理装置の例を示している。装置前方側に紙幣を抜き取るための開口を有する１６個の紙幣集積部があり、左端から４つの紙幣集積部の上側に、ホッパ、リジェクト部、操作表示部等が設けられている。
【０１９６】
例えば、優先度設定に、１人の操作者が紙幣処理を行う１人作業用パターンを設定する。この１人作業用パターンで、紙幣集積部の位置が左側にあるほど優先度が高くなるように設定する。この結果、ホッパや操作表示部が設けられた装置左側の紙幣集積部が優先されるので、操作者は、ホッパへの紙幣の載置や操作表示部の操作を行いながら、紙幣集積部から紙幣を抜き取る際に、右端の紙幣集積部の所まで移動する必要がなく作業を容易に進めることができる。
【０１９７】
優先度設定では、紙幣集積部の位置関係に基づいて優先度を設定する他、過去に処理された紙幣処理に係る情報に基づいて優先度を設定することも可能となっている。例えば、紙幣集積部の優先度設定を「左」、優先する紙幣集積部に割り当てる紙幣金種を「多」と設定することで、左側にある紙幣集積部ほど集積される紙幣の枚数が多くなるように、各紙幣集積部に集積する紙幣の金種が自動的に割り当てられる。なお、紙幣の金種と紙幣の集積枚数との関係は、過去に処理された紙幣の金種と処理枚数との情報に基づいて判定される。
【０１９８】
例えば、１人作業用パターンの優先度設定を、処理枚数が多い金種ほど左側の紙幣集積部に集積されるように設定する。これにより、過去の紙幣処理で蓄積されたデータを元に、左端の紙幣集積部に、処理枚数が最も多かった金種が割り当てられる。また、左端から２番目の紙幣集積部に、処理枚数が２番目に多かった金種が割り当てられるというように、左の紙幣集積部から順に、処理枚数が多い金種が割り当てられてゆく。この結果、紙幣処理を行った際には、図２５（Ａ）に示すように、紙幣集積部が左側にあるほど集積される紙幣の枚数が多くなる。なお、図２５は、１６個の紙幣集積部のそれぞれに集積される紙幣枚数を示す模式図である。図２５（Ａ）は、紙幣集積部が左側にあるほど紙幣の集積枚数が多くなることを示している。
【０１９９】
例えば、１人の操作者が、紙幣集積部から抜き出した紙幣を運搬用のカセットや袋等の搬送容器に詰める作業を行う場合には、搬送容器を装置左端近傍に置いて作業を行う。操作者は、ホッパへの紙幣の載置や操作表示部の操作を行いながら、紙幣集積部から紙幣を抜き取って搬送容器に詰める作業を行う。このとき、図２５（Ａ）に示すように、紙幣集積部が左側にあるほど紙幣の集積枚数が多くなるので、紙幣を抜き取るために右端の紙幣集積部まで移動する回数が最小限に抑えられる。また、搬送容器から離れるほど紙幣の集積枚数が少なくなるので、大量の紙幣を抜き取って搬送容器の所まで長い距離を運ぶ必要がなく操作者の作業負担を軽減することができる。
【０２００】
例えば、２人で作業を行って、１人がホッパに紙幣を載置する作業のみを行って、別の１人が紙幣集積部から紙幣を抜き取って搬送容器に詰める作業のみを行う場合には、２人作業用パターンの優先度設定を、処理枚数が多い金種ほど右側の紙幣集積部に集積されるように設定する。
【０２０１】
この結果、右の紙幣集積部から順に処理枚数が多い金種が割り当てられて、紙幣処理時には、図２５（Ｂ）に示すような集積状態になる。装置左側で、１人がホッパに紙幣を載置する作業を連続して行い、もう１人が装置右端近傍に搬送容器を置いて、各紙幣集積部から紙幣を抜き取って搬送容器に詰める作業を行うことにより、効率よく作業を進めることができる。
【０２０２】
また、例えば、２人で作業を行って、１人がホッパに紙幣を載置する作業と紙幣集積部から紙幣を抜き取る作業の両方を行って、別の１人は紙幣集積部から紙幣を抜き取って搬送容器に詰める作業のみを行う場合には、２人作業用パターンの優先度設定を、紙幣集積部が左右の両外側にあるほど紙幣集積枚数が多くなるように設定する。
【０２０３】
この結果、左右両外側の紙幣集積部から順に処理枚数が多い金種が割り当てられて、紙幣処理時には、図２５（Ｃ）に示すような集積状態になる。搬送容器を、紙幣集積部の配列方向略中央に置いて、１人はホッパに紙幣を載置する作業を連続して行いながら紙幣集積部に集積された紙幣を抜き取って、搬送容器に詰める作業を行う。もう１人は略中央に置かれた搬送容器より右側で、各紙幣集積部から紙幣を抜き取って搬送容器に詰める作業を行う。作業時に２人が交差して移動することがなく、１人は紙幣集積部の配列方向中央から左側のみで作業して、１人は右側のみで作業するので、効率よく作業を進めることができる。また、２人が取り扱う紙幣枚数が近い値となるので１人の作業負担のみが大きくなることがない。
【０２０４】
また、１人がホッパに紙幣を載置する作業と紙幣集積部から紙幣を抜き取る作業の両方を行って、別の１人は紙幣集積部から紙幣を抜き取って搬送容器に詰める作業のみを行う場合に、紙幣集積部を左側の８個の紙幣集積部のグループと、右側の８個の紙幣集積部のグループとに分けて、２人作業用パターンの優先度設定を、各グループで左側にあるほど紙幣集積枚数が多くなるように設定してもよい。
【０２０５】
この結果、左右それぞれのグループで左側の紙幣集積部から順に処理枚数が多い金種が割り当てられて、紙幣処理時には、図２５（Ｄ）に示すような集積状態になる。搬送容器を紙幣集積部の配列方向略中央に置いて、１人はホッパに紙幣を載置する作業を連続して行いながら紙幣集積部に集積された紙幣を抜き取って、搬送容器に詰める作業を行う。もう１人は略中央に置かれた搬送容器より右側で、各紙幣集積部から紙幣を抜き取って搬送容器に詰める作業を行うが、右側８個の紙幣集積部では、搬送容器が置かれた位置に近い紙幣集積部で紙幣の集積枚数が多くなるので、図２５（Ｃ）に比べて、紙幣を抜き取って搬送容器に詰める作業が容易になる。
【０２０６】
このように、紙幣処理装置１では、紙幣集積部の位置に基づく優先度設定と、処理対象となる紙幣の種類別の処理枚数に基づく優先度設定とを行うことにより、各紙幣集積部に紙幣の種類が適切に割り当てられて、操作者は紙幣処理に係る作業を容易に進めることが可能となる。紙幣集積部が多数ある場合に、予め設定された優先度設定に基づいて、各紙幣集積部に集積する紙幣の種類を自動的に割り当てることができるので、操作者は、各紙幣集積部に集積する紙幣の種類を検討して設定する操作を行う必要がなく、自動設定された設定で紙幣処理を行うだけで効率よく作業を行うことができる。
【０２０７】
なお、本実施形態では、操作表示部７０にリジェクト紙幣に関する情報を表示する例として、リジェクト紙幣の枚数を確定できなくなると、その後は、リジェクト紙幣の枚数に代えて、リジェクト紙幣が発生した回数をリジェクト件数として表示する例を示したが、本実施形態がこれに限定されるものではない。紙幣処理装置１では、枚数を確定できたリジェクト紙幣の合計枚数と、枚数を確定できないリジェクト紙幣の発生回数とを区別して管理すると共に、各リジェクト紙幣がリジェクトされた要因を、識別不能、偽札、重送、連鎖等の種類別に分けて管理している。これを利用して、枚数を確定できないリジェクトが発生した後は、枚数を確定できたリジェクト紙幣の合計枚数と、枚数を確定できないリジェクトの発生回数を示すリジェクト件数とを別々に表示する態様であってもよい。また、リジェクト件数を表示する際には、リジェクト要因別に分けて件数を表示すると共に、これらを合算した合計を表示する態様であっても構わない。なお、リジェクト紙幣の枚数を確定できない場合として、例えば、識別部１００又は搬送紙幣検知センサ８０〜８７によって、重送、連鎖、厚み異常、サイズ異常等が検出された場合が挙げられる。
【０２０８】
画面上で、枚数を確定できたリジェクト紙幣の合計枚数と、枚数を確定できないリジェクトの発生回数とを区別可能に表示すれば、紙幣処理装置１の操作者は、表示された数値がリジェクト紙幣の枚数であるのか、枚数を確定できないリジェクトの発生回数であるのかを容易に認識することができる。なお、各情報を区別可能に表示する方法についても、図２１に示したように、枚数を確定できたリジェクト紙幣の枚数を数値のみで示す一方で、リジェクトの発生回数を示す際には発生回数を示す情報を所定記号と共に表示する態様であってもよいし、それぞれを異なる色で表示する態様であっても構わない。また、例えば、数値が、リジェクト枚数及びリジェクト発生回数のいずれを示すものであるかを文字で表示する態様であってもよい。具体的には、図２１（Ｂ）では、枚数を確定したリジェクト紙幣の枚数「１」と、枚数を確定できないリジェクトの発生回数「１」とを合算してリジェクト件数「！（２）」と表示する例を示したが、これを「確定１、不確定１、合計２」というように表示する態様であってもよい。
【０２０９】
上述したように、本実施形態では、リジェクト紙幣が発生したタイミングで操作表示部７０にリジェクト紙幣に関する情報が表示されるので、操作表示部７０に表示された情報の変化から、リジェク紙幣の発生を容易に認識することができる。また、リジェクト紙幣の枚数を確定できる間はリジェクト枚数が表示されるので、紙幣集積部に集積された紙幣の枚数及びリジェクト枚数から、処理された紙幣の合計枚数を容易に認識することができる。
【０２１０】
また、リジェクト紙幣の枚数が確定できなくなると操作表示部７０に表示されるリジェクト紙幣に関する情報の表示態様が変化するので、リジェクト紙幣の枚数が確定できなくなったことを容易に認識することができる。また、枚数を確定できないリジェクトが発生した場合も、リジェクトの発生回数を表示することで、処理された紙幣の合計枚数の目安となる情報を得たり紙幣処理の状況を認識したりすることができる。
【産業上の利用可能性】
【０２１１】
以上のように、本発明に係る紙葉類処理装置は、リジェクトされた紙葉類に関する情報を分かり易く表示するために有用な技術である。
【符号の説明】
【０２１２】
１  紙幣処理装置
１１  上部ユニット
１２  下部ユニット
１３  上蓋
１４  背面ユニット
２０  ホッパ
３０、４０  紙幣集積部
３３、４３  羽根車
３４、４４  押出部材
５０  リジェクト部
６１  副電源スイッチ
６２  メモリカードスロット
６３  ＵＳＢポート
６４  ＬＡＮポート
６５  専用ポート
６６  主電源スイッチ
６７  電源インレット
７０  操作表示部
７１  ゴミトレイ
７２  ゴミ受けプレート
８０〜８７  搬送紙幣検知センサ
９０〜９５  搬送ベルト
１００  識別部
１１１、１１２  分岐部材
１４０ａ〜１４０ｅ  センサブラシ
１５１〜１５４  集積紙幣検知センサ
【図１】
0006362479.tif 000002
【図２】
0006362479.tif 000003
【図３】
0006362479.tif 000004
【図４】
0006362479.tif 000005
【図５】
0006362479.tif 000006
【図６】
0006362479.tif 000007
【図７】
0006362479.tif 000008
【図８】
0006362479.tif 000009
【図９】
0006362479.tif 000010
【図１０】
0006362479.tif 000011
【図１１】
0006362479.tif 000012
【図１２】
0006362479.tif 000013
【図１３】
0006362479.tif 000014
【図１４】
0006362479.tif 000015
【図１５】
0006362479.tif 000016
【図１６】
0006362479.tif 000017
【図１７】
0006362479.tif 000018
【図１８】
0006362479.tif 000019
【図１９】
0006362479.tif 000020
【図２０】
0006362479.tif 000021
【図２１】
0006362479.tif 000022
【図２２】
0006362479.tif 000023
【図２３】
0006362479.tif 000024
【図２４】
0006362479.tif 000025
【図２５】
0006362479.tif 000026